(57)【特許請求の範囲】
【請求項１】
無線接続システムで２５６ＱＡＭ（Ｑｕａｄｒａｔｕｒｅ  Ａｍｐｌｉｔｕｄｅ  Ｍｏｄｕｌａｔｉｏｎ）を支援する端末によりＣＳＩ（Ｃｈａｎｎｅｌ  Ｓｔａｔｅ  Ｉｎｆｏｒｍａｔｉｏｎ）報告を送信する方法において、
前記方法は、前記端末によって行われ、
ランク指示子（ＲＩ）参照プロセスを設定するＲＲＣ（Ｒａｄｉｏ  Ｒｅｓｏｕｒｃｅ  Ｃｏｎｔｒｏｌ）信号を受信すること；
前記端末に構成される前記ＲＩ参照プロセスと連関した２つ以上のＣＳＩプロセスに対してＣＳＩを測定すること；
第１ＣＱＩ（Ｃｈａｎｎｅｌ  Ｑｕａｌｉｔｙ  Ｉｎｄｉｃａｔｉｏｎ）テーブル又は第２ＣＱＩテーブルを用いてＣＱＩインデックスを選択すること；及び
前記２つ以上のＣＳＩプロセスの各々に含まれるＣＳＩサブセットに対応するＣＳＩ報告を送信すること；を含み、
前記第１ＣＱＩテーブルは６４ＱＡＭを支援し、前記第２ＣＱＩテーブルは２５６ＱＡＭを支援し、
前記２つ以上のＣＳＩプロセスは前記ＲＩ参照プロセスと連関し、同一のＣＱＩテーブルのみが前記２つ以上のＣＳＩプロセスに適用され、
同一のＲＩが、前記ＲＩ参照プロセスと連関した前記２つ以上のＣＳＩプロセスに適用され、前記同一のＲＩは、前記ＣＳＩ報告のためのＣＳＩ報告モードに課されたコードブックサブセット制限により設定される、方法。
【請求項２】
前記ＣＳＩサブセットは、ＣＳＩ測定サブフレーム集合である、請求項１に記載の方法。
【請求項３】
前記ＣＳＩ報告の各々は、前記ＣＳＩ測定サブフレーム集合の各々に対応するＣＳＩ−ＲＳ（ＣＳＩ  Ｒｅｆｅｒｅｎｃｅ  Ｓｉｇｎａｌ）及びＣＳＩ−ＩＭ（ＣＳＩ  Ｉｎｔｅｒｆｅｒｅｎｃｅ  Ｍｅａｓｕｒｅｍｅｎｔ）を用いて計算される、請求項２に記載の方法。
【請求項４】
前記ＣＳＩ報告は、ＰＵＣＣＨ（Ｐｈｙｓｉｃａｌ  Ｕｐｌｉｎｋ  Ｃｏｎｔｒｏｌ  Ｃｈａｎｎｅｌ）を介して周期的に送信される、請求項３に記載の方法。
【請求項５】
前記ＣＳＩ報告は、ＰＵＳＣＨ（Ｐｈｙｓｉｃａｌ  Ｕｐｌｉｎｋ  Ｓｈａｒｅｄ  Ｃｈａｎｎｅｌ）を介して非周期的に送信される、請求項３に記載の方法。
【請求項６】
無線接続システムで２５６ＱＡＭ（Ｑｕａｄｒａｔｕｒｅ  Ａｍｐｌｉｔｕｄｅ  Ｍｏｄｕｌａｔｉｏｎ）を支援する端末からＣＳＩ（Ｃｈａｎｎｅｌ  Ｓｔａｔｅ  Ｉｎｆｏｒｍａｔｉｏｎ）報告を受信する方法において、
前記方法は、基地局によって行われ、
ランク指示子（ＲＩ）参照プロセスを設定するＲＲＣ（Ｒａｄｉｏ  Ｒｅｓｏｕｒｃｅ  Ｃｏｎｔｒｏｌ）信号を送信すること；及び
２つ以上のＣＳＩプロセスの各々に含まれるＣＳＩサブセットに対応するＣＳＩ報告を受信すること；を含み、
前記ＣＳＩ報告の各々は、第１ＣＱＩ（Ｃｈａｎｎｅｌ  Ｑｕａｌｉｔｙ  Ｉｎｄｉｃａｔｉｏｎ）テーブル又は第２ＣＱＩテーブルから選択されるＣＱＩインデックスを含み、
前記第１ＣＱＩテーブルは６４ＱＡＭを支援し、前記第２ＣＱＩテーブルは２５６ＱＡＭを支援し、
前記２つ以上のＣＳＩプロセスは前記ＲＩ参照プロセスと連関し、同一のＣＱＩテーブルのみが前記２つ以上のＣＳＩプロセスに適用され、
同一のＲＩが、前記２つ以上のＣＳＩプロセスに適用され、前記同一のＲＩは、前記ＣＳＩ報告のためのＣＳＩ報告モードに課されたコードブックサブセット制限により設定される、方法。
【請求項７】
前記ＣＳＩサブセットは、ＣＳＩ測定サブフレーム集合である、請求項６に記載の方法。
【請求項８】
前記ＣＳＩ報告の各々は、前記ＣＳＩ測定サブフレーム集合の各々に対応するＣＳＩ−ＲＳ（ＣＳＩ  Ｒｅｆｅｒｅｎｃｅ  Ｓｉｇｎａｌ）及びＣＳＩ−ＩＭ（ＣＳＩ  Ｉｎｔｅｒｆｅｒｅｎｃｅ  Ｍｅａｓｕｒｅｍｅｎｔ）を用いて計算される、請求項７に記載の方法。
【請求項９】
前記ＣＳＩ報告は、ＰＵＣＣＨ（Ｐｈｙｓｉｃａｌ  Ｕｐｌｉｎｋ  Ｃｏｎｔｒｏｌ  Ｃｈａｎｎｅｌ）を介して周期的に送信される、請求項８に記載の方法。
【請求項１０】
前記ＣＳＩ報告は、ＰＵＳＣＨ（Ｐｈｙｓｉｃａｌ  Ｕｐｌｉｎｋ  Ｓｈａｒｅｄ  Ｃｈａｎｎｅｌ）を介して非周期的に送信される、請求項８に記載の方法。
【請求項１１】
無線接続システムでＣＳＩ（Ｃｈａｎｎｅｌ  Ｓｔａｔｅ  Ｉｎｆｏｒｍａｔｉｏｎ）報告を送信するための端末は、
受信機；
送信機；及び
前記ＣＳＩ報告を送信するために前記受信機及び前記送信機を制御するプロセッサ；を含み、
前記プロセッサは、
前記受信機を制御することによって、ランク指示子（ＲＩ）参照プロセスを設定するＲＲＣ（Ｒａｄｉｏ  Ｒｅｓｏｕｒｃｅ  Ｃｏｎｔｒｏｌ）信号を受信し；
前記端末に構成される前記ＲＩ参照と連関した２つ以上のＣＳＩプロセスに対してＣＳＩを測定し；
第１ＣＱＩ（Ｃｈａｎｎｅｌ  Ｑｕａｌｉｔｙ  Ｉｎｄｉｃａｔｉｏｎ）テーブル又は第２ＣＱＩテーブルを用いてＣＱＩインデックスを選択し；
前記送信機を制御することによって、前記２つ以上のＣＳＩプロセスの各々に含まれるＣＳＩサブセットに対応するＣＳＩ報告を送信し、
前記端末は、２５６ＱＡＭ（Ｑｕａｄｒａｔｕｒｅ  Ａｍｐｌｉｔｕｄｅ  Ｍｏｄｕｌａｔｉｏｎ）を支援し、
前記第１ＣＱＩテーブルは６４ＱＡＭを支援し、前記第２ＣＱＩテーブルは２５６ＱＡＭを支援し、
前記２つ以上のＣＳＩプロセスは前記ＲＩ参照プロセスと連関し、同一のＣＱＩテーブルのみが前記２つ以上のＣＳＩプロセスに適用され、
同一のＲＩが、前記ＲＩ参照プロセスと連関した前記２つ以上のＣＳＩプロセスに適用され、前記同一のＲＩは、前記ＣＳＩ報告のためのＣＳＩ報告モードに課されたコードブックサブセット制限により設定される、端末。
【請求項１２】
前記ＣＳＩサブセットは、ＣＳＩ測定サブフレーム集合である、請求項１１に記載の端末。
【請求項１３】
前記ＣＳＩ報告の各々は、前記ＣＳＩ測定サブフレーム集合の各々に対応するＣＳＩ−ＲＳ（ＣＳＩ  Ｒｅｆｅｒｅｎｃｅ  Ｓｉｇｎａｌ）及びＣＳＩ−ＩＭ（ＣＳＩ  Ｉｎｔｅｒｆｅｒｅｎｃｅ  Ｍｅａｓｕｒｅｍｅｎｔ）を用いて計算される、請求項１２に記載の端末。
【請求項１４】
前記ＣＳＩ報告は、ＰＵＣＣＨ（Ｐｈｙｓｉｃａｌ  Ｕｐｌｉｎｋ  Ｃｏｎｔｒｏｌ  Ｃｈａｎｎｅｌ）を介して周期的に送信される、請求項１３に記載の端末。
【請求項１５】
前記ＣＳＩ報告は、ＰＵＳＣＨ（Ｐｈｙｓｉｃａｌ  Ｕｐｌｉｎｋ  Ｓｈａｒｅｄ  Ｃｈａｎｎｅｌ）を介して非周期的に送信される、請求項１３に記載の端末。
【請求項１６】
無線接続システムで２５６ＱＡＭ（Ｑｕａｄｒａｔｕｒｅ  Ａｍｐｌｉｔｕｄｅ  Ｍｏｄｕｌａｔｉｏｎ）を支援する端末からＣＳＩ（Ｃｈａｎｎｅｌ  Ｓｔａｔｅ  Ｉｎｆｏｒｍａｔｉｏｎ）報告を受信するための基地局は、
受信機；
送信機；及び
前記ＣＳＩ報告を受信するために前記受信機及び前記送信機を制御するプロセッサ；を含み、
前記プロセッサは、
前記送信機を制御することによって、ランク指示子（ＲＩ）参照プロセスを設定するＲＲＣ（Ｒａｄｉｏ  Ｒｅｓｏｕｒｃｅ  Ｃｏｎｔｒｏｌ）信号を送信し；
前記受信機を制御することによって、２つ以上のＣＳＩプロセスの各々に含まれるＣＳＩサブセットに対応するＣＳＩ報告を受信し、
前記ＣＳＩ報告の各々は、第１ＣＱＩ（Ｃｈａｎｎｅｌ  Ｑｕａｌｉｔｙ  Ｉｎｄｉｃａｔｉｏｎ）テーブル又は第２ＣＱＩテーブルから選択されるＣＱＩインデックスを含み、
前記第１ＣＱＩテーブルは６４ＱＡＭを支援し、前記第２ＣＱＩテーブルは２５６ＱＡＭを支援し、
前記２つ以上のＣＳＩプロセスは前記ＲＩ参照プロセスと連関し、同一のＣＱＩテーブルのみが前記２つ以上のＣＳＩプロセスに適用され、
同一のＲＩが、前記ＲＩ参照プロセスと連関した前記２つ以上のＣＳＩプロセスに適用され、前記同一のＲＩは、前記ＣＳＩ報告のためのＣＳＩ報告モードに課されたコードブックサブセット制限により設定される、基地局。
【請求項１７】
前記ＣＳＩサブセットは、ＣＳＩ測定サブフレーム集合である、請求項１６に記載の基地局。
【請求項１８】
前記ＣＳＩ報告の各々は、前記ＣＳＩ測定サブフレーム集合の各々に対応するＣＳＩ−ＲＳ（ＣＳＩ  Ｒｅｆｅｒｅｎｃｅ  Ｓｉｇｎａｌ）及びＣＳＩ−ＩＭ（ＣＳＩ  Ｉｎｔｅｒｆｅｒｅｎｃｅ  Ｍｅａｓｕｒｅｍｅｎｔ）を用いて計算される、請求項１７に記載の基地局。
【請求項１９】
前記ＣＳＩ報告は、ＰＵＣＣＨ（Ｐｈｙｓｉｃａｌ  Ｕｐｌｉｎｋ  Ｃｏｎｔｒｏｌ  Ｃｈａｎｎｅｌ）を介して周期的に送信される、請求項１８に記載の基地局。
【請求項２０】
前記ＣＳＩ報告は、ＰＵＳＣＨ（Ｐｈｙｓｉｃａｌ  Ｕｐｌｉｎｋ  Ｓｈａｒｅｄ  Ｃｈａｎｎｅｌ）を介して非周期的に送信される、請求項１８に記載の基地局。
【発明の詳細な説明】
【技術分野】
【０００１】
本発明は、無線接続システムに関し、２５６ＱＡＭ（Ｑｕａｄｒａｔｕｒｅ  Ａｍｐｌｉｔｕｄｅ  Ｍｏｄｕｌａｔｉｏｎ）変調方式を支援するためのチャネル状態情報（ＣＳＩ：Ｃｈａｎｎｅｌ  Ｓｔａｔｕｓ  Ｉｎｆｏｒｍａｔｉｏｎ）を送受信する方法及びこれを支援する装置に関する。
【背景技術】
【０００２】
無線接続システムが音声やデータなどのような種々の通信サービスを提供するために広範囲に展開されている。一般に、無線接続システムは、可用のシステムリソース（帯域幅、送信電力など）を共有して多重ユーザとの通信を支援できる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
現在、ＬＴＥ／ＬＴＥ―Ａシステムでは、ＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）及び６４ＱＡＭのみを変調方式として採択している。しかし、データ送信量の増加及び無線リソースの効率的な使用のためにより高い変調次数を有する２５６ＱＡＭの使用有無が論議されている。但し、２５６ＱＡＭを支援するためには、新しい送信ブロックサイズが定義されなければならなく、２５６ＱＡＭ変調方式を支援するための新しいＭＣＳシグナリングが定義される必要がある。また、２５６ＱＡＭを支援するとき、これに適したＣＳＩフィードバック方法を新たに定義する必要がある。
【０００４】
本発明の目的は、効率的なデータ送信方法を提供することにある。
【０００５】
本発明の他の目的は、高い変調次数を有するデータに対するチャネル状態情報をフィードバックする方法を提供することにある。
【０００６】
本発明の更に他の目的は、ランク指示子（ＲＩ）参照プロセスが設定される場合にチャネル状態情報をフィードバックする方法を提供することにある。
【０００７】
本発明の更に他の目的は、これらの方法を支援する装置を提供することにある。
【０００８】
本発明で達成しようとする技術的目的は、以上で言及した事項に制限されず、言及していない他の技術的課題は、以下に説明する本発明の実施例から、本発明の属する技術の分野における通常の知識を有する者にとって考慮されてもよい。
【課題を解決するための手段】
【０００９】
本発明は、無線接続システムに関し、２５６ＱＡＭ変調方式を支援するためのチャネル状態情報（ＣＳＩ）を送受信する方法及びこれを支援する装置に関する。
【００１０】
本発明の一様態として、無線接続システムで２５６ＱＡＭ（Ｑｕａｄｒａｔｕｒｅ  Ａｍｐｌｉｔｕｄｅ  Ｍｏｄｕｌａｔｉｏｎ）を支援できる端末がＣＳＩ（Ｃｈａｎｎｅｌ  Ｓｔａｔｅ  Ｉｎｆｏｒｍａｔｉｏｎ）を報告する方法は、端末に第１ランク指示子（ＲＩ）参照プロセスを構成するための上位層信号を受信すること、端末に構成された第１ＲＩ参照プロセスと連関した一つ以上のＣＳＩプロセスに対してチャネル品質を測定すること、一つ以上のＣＳＩプロセスに対して第１ＣＱＩ（Ｃｈａｎｎｅｌ  Ｑｕａｌｉｔｙ  Ｉｎｄｉｃａｔｉｏｎ）テーブル又は第２ＣＱＩテーブルのみを用いてＣＱＩインデックスを選択すること、及びＣＱＩインデックスが含まれたＣＳＩを報告することを含むことができる。このとき、第１ＣＱＩテーブルは６４ＱＡＭまで支援可能で、第２ＣＱＩテーブルは２５６ＱＡＭまで支援可能であり、第１ＲＩ参照プロセスと連関した一つ以上のＣＳＩプロセスに対しては同一のＣＱＩテーブルのみを適用することができる。
【００１１】
本発明の他の様態として、２５６ＱＡＭ（Ｑｕａｄｒａｔｕｒｅ  Ａｍｐｌｉｔｕｄｅ  Ｍｏｄｕｌａｔｉｏｎ）を支援する無線接続システムでＣＳＩ（Ｃｈａｎｎｅｌ  Ｓｔａｔｅ  Ｉｎｆｏｒｍａｔｉｏｎ）を報告するための端末は、送信機、受信機、及びこれらの送信機及び受信機を制御し、ＣＳＩ報告を支援するように構成されるプロセッサを含むことができる。このとき、プロセッサは、受信機を制御することによって、第１ランク指示子（ＲＩ）参照プロセスを構成するための上位層信号を受信し；受信機を制御することによって、端末に構成された第１ＲＩ参照プロセスと連関した一つ以上のＣＳＩプロセスに対してチャネル品質を測定し；一つ以上のＣＳＩプロセスに対して第１ＣＱＩ（Ｃｈａｎｎｅｌ  Ｑｕａｌｉｔｙ  Ｉｎｄｉｃａｔｉｏｎ）テーブル又は第２ＣＱＩテーブルのみを用いてＣＱＩインデックスを選択し；送信機を制御することによって、ＣＱＩインデックスが含まれたＣＳＩを報告するように構成され、第１ＣＱＩテーブルは６４ＱＡＭまで支援可能で、第２ＣＱＩテーブルは２５６ＱＡＭまで支援可能であり、第１ＲＩ参照プロセスと連関した一つ以上のＣＳＩプロセスに対しては同一のＣＱＩテーブルのみを適用することができる。
【００１２】
本発明の様態において、第１ＲＩ参照プロセスと連関した一つ以上のＣＳＩプロセスに対して同一のＲＩを適用することができる。
【００１３】
このとき、第１ＣＱＩテーブル及び第２ＣＱＩテーブルは、４ビットのサイズを有するように構成することができる。
【００１４】
前記上位層信号には、端末に第２ＲＩ参照プロセスを構成するための構成情報がさらに含まれ、第２ＲＩ参照プロセスと連関した一つ以上のＣＳＩプロセスには互いに同一のＣＱＩテーブルを適用することができる。
【００１５】
上述した本発明の様態は、本発明の好適な実施例の一部に過ぎず、本願発明の技術的特徴が反映された様々な実施例が、当該技術の分野における通常の知識を有する者にとって、以下に詳述する本発明の詳細な説明に基づいて導出され、理解されるであろう。
【発明の効果】
【００１６】
本発明の各実施例によれば、次のような効果がある。
【００１７】
第一、チャネル状況に応じて高次変調方式を用いることによって、効率的にデータを送受信することができる。
【００１８】
第二、高い変調次数を有するデータに対するチャネル状態情報をフィードバックすることができる。
【００１９】
第三、端末に構成されたＣＳＩサブフレーム集合別にＣＱＩテーブルを個別的に割り当て、ＣＳＩサブフレーム集合別に異なる変調方式を適用することによって、セル間干渉を減少させることができる。
【００２０】
第四、端末に構成されたＲＩ参照プロセス別にＣＱＩテーブルを個別的に適用することによって、下りリンクデータの送信時、ランクの不一致によって発生し得るＭＣＳ補正誤りを減少させることができる。
【００２１】
本発明の実施例から得られる効果は、以上で言及した効果に制限されず、言及していない他の効果は、以下の本発明の実施例に関する記載から、本発明の属する技術の分野における通常の知識を有する者にとって明確に導出され理解されるであろう。すなわち、本発明を実施する上で意図していない効果も、本発明の実施例から、当該技術の分野における通常の知識を有する者によって導出可能である。
【図面の簡単な説明】
【００２２】
本発明に関する理解を助けるために詳細な説明の一部として含まれる添付の図面は、本発明に関する様々な実施例を提供する。また、添付の図面は、詳細な説明と共に本発明の実施の形態を説明するために用いられる。
【００２３】
【図１】図１は、本発明の実施例で使用可能な物理チャネル及びこれらを用いた信号送信方法を説明するための図である。
【００２４】
【図２】図２は、本発明の実施例で使用される無線フレームの構造を示す図である。
【００２５】
【図３】図３は、本発明の実施例で使用可能な下りリンクスロットに対するリソースグリッド（ｒｅｓｏｕｒｃｅ  ｇｒｉｄ）を例示する図である。
【００２６】
【図４】図４は、本発明の実施例で使用可能な上りリンクサブフレームの構造を示す図である。
【００２７】
【図５】図５は、本発明の実施例で使用可能な下りリンクサブフレームの構造を示す図である。
【００２８】
【図６】図６は、本発明の実施例で使用される一般循環前置の場合におけるＰＵＣＣＨフォーマット１ａ及び１ｂを示し、
【図７】図７は、拡張循環前置の場合におけるＰＵＣＣＨフォーマット１ａ及び１ｂを示す。
【００２９】
【図８】図８は、本発明の実施例で使用される一般循環前置の場合におけるＰＵＣＣＨフォーマット２／２ａ／２ｂを示し、
【図９】図９は、拡張循環前置の場合におけるＰＵＣＣＨフォーマット２／２ａ／２ｂを示す。
【００３０】
【図１０】図１０は、本発明の実施例で使用されるＰＵＣＣＨフォーマット１ａ及び１ｂに対するＡＣＫ／ＮＡＣＫチャネル化（ｃｈａｎｎｅｌｉｚａｔｉｏｎ）を説明する図である。
【００３１】
【図１１】図１１は、本発明の実施例で使用される同じＰＲＢ内でＰＵＣＣＨフォーマット１ａ／１ｂとフォーマット２／２ａ／２ｂとが混合された構造に対するチャネル化を示す図である。
【００３２】
【図１２】図１２は、本発明の実施例で使用されるＰＲＢ割り当てを示す図である。
【００３３】
【図１３】図１３は、本発明の実施例で使用されるコンポーネントキャリア（ＣＣ）及びＬＴＥ＿Ａシステムで用いられるキャリア併合の一例を示す図である。
【００３４】
【図１４】図１４は、本発明の実施例で使用されるクロスキャリアスケジューリングによるＬＴＥ−Ａシステムのサブフレーム構造を示す図である。
【００３５】
【図１５】図１５は、本発明の実施例で使用されるクロスキャリアスケジューリングによるサービングセル構成の一例を示す図である。
【００３６】
【図１６】図１６は、ＣＡ  ＰＵＣＣＨの信号処理過程を例示する図である。
【００３７】
【図１７】図１７は、本発明の実施例として、上りリンクチャネルを介してＣＳＩを報告する方法のうちの一つを示す図である。
【００３８】
【図１８】図１８は、本発明の実施例として、ＰＵＳＣＨを介してＣＳＩを報告する方法のうちの一つを示す図である。
【００３９】
【図１９】図１９は、本発明の実施例として、ＰＵＳＣＨを介してＣＳＩを報告する方法のうちの他の一つを示す図である。
【００４０】
【図２０】図２０は、ＲＩ参照プロセスが割り当てられる場合のＣＳＩ報告方法のうちの一つを示す図である。
【００４１】
【図２１】図２１で説明する装置は、図１〜図１９で説明した方法を具現できる手段である。
【発明を実施するための形態】
【００４２】
本発明の実施例は、無線接続システムに関し、２５６ＱＡＭ変調方式を支援するためのチャネル状態情報を送受信する方法及びこれを支援する装置を提供する。
【００４３】
以下の実施例は、本発明の構成要素と特徴を所定の形態で結合したものである。各構成要素又は特徴は、別の明示的な言及がない限り、選択的なものとして考慮することができる。各構成要素又は特徴は、他の構成要素や特徴と結合しない形態で実施することができる。また、一部の構成要素及び／又は特徴を結合して本発明の実施例を構成することもできる。本発明の実施例で説明する動作の順序は変更してもよい。ある実施例の一部の構成や特徴は他の実施例に含まれてもよく、又は他の実施例の対応する構成又は特徴に取り替えられてもよい。
【００４４】
図面に関する説明において、本発明の要旨を曖昧にさせうる手順又は段階などは記述を省略し、当業者のレベルで理解できるような手順又は段階も記述を省略した。
【００４５】
本明細書で、本発明の実施例は、基地局と移動局との間のデータ送受信関係を中心に説明した。ここで、基地局は、移動局と直接通信を行うネットワークの終端ノード（ｔｅｒｍｉｎａｌ  ｎｏｄｅ）としての意味を有する。本文書で基地局によって行われるとした特定動作は、場合によっては、基地局の上位ノード（ｕｐｐｅｒ  ｎｏｄｅ）によって行われてもよい。
【００４６】
すなわち、基地局を含む複数のネットワークノード（ｎｅｔｗｏｒｋ  ｎｏｄｅ）からなるネットワークで移動局との通信のために行われる様々な動作は、基地局又は基地局以外の他のネットワークノードによって行われてもよい。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）又はアクセスポイント（ａｃｃｅｓｓ  ｐｏｉｎｔ）などの用語に代えてもよい。
【００４７】
また、本発明の実施例でいう「端末（Ｔｅｒｍｉｎａｌ）」は、ユーザ機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、又は発展した移動端末（ＡＭＳ：Ａｄｖａｎｃｅｄ  Ｍｏｂｉｌｅ  Ｓｔａｔｉｏｎ）などの用語に代えてもよい。
【００４８】
また、送信端は、データサービス又は音声サービスを提供する固定及び／又は移動ノードを意味し、受信端は、データサービス又は音声サービスを受信する固定及び／又は移動ノードを意味する。そのため、上りリンクでは、移動局を送信端とし、基地局を受信端とすることができる。同様に、下りリンクでは、移動局を受信端とし、基地局を送信端とすることができる。
【００４９】
本発明の実施例は、無線接続システムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ２システムのうちの少なくとも一つに開示された標準文書によって裏付けることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１及び／又は３ＧＰＰ  ＴＳ  ３６．３３１の文書によって裏付けることができる。すなわち、本発明の実施例において説明していない自明な段階又は部分は、上記の文書を参照して説明することができる。また、本文書で開示している用語はいずれも上記の標準文書によって説明することができる。
【００５０】
以下、本発明に係る好適な実施の形態を、添付の図面を参照して詳しく説明する。添付の図面と共に以下に開示される詳細な説明は、本発明の例示的な実施の形態を説明するためのもので、本発明が実施されうる唯一の実施の形態を示すためのものではない。
【００５１】
また、本発明の実施例で使われる特定用語は、本発明の理解を助けるために提供されたもので、このような特定用語の使用は、本発明の技術的思想を逸脱しない範囲で他の形態に変更してもよい。
【００５２】
例えば、ＬＴＥ／ＬＴＥ−Ａシステムで使用されるチャネル品質指示子（ＣＱＩ：Ｃｈａｎｎｅｌ  Ｑｕａｌｉｔｙ  Ｉｎｄｉｃａｔｏｒ）フィードバックテーブルは、第１ＣＱＩテーブル又はレガシーテーブルと定義し、本発明で提案する２５６ＱＡＭを支援するためのＣＱＩフィードバックテーブルは、第２ＣＱＩテーブル又はニューテーブルと定義することができる。また、ＣＳＩサブセットは、ＣＳＩサブフレームの集合を意味し、ＣＳＩサブフレームセット又はＣＳＩサブフレーム集合と同じ意味で使われてもよい。
【００５３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに適用することができる。
【００５４】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。
【００５５】
ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥ（Ｌｏｎｇ  Ｔｅｒｍ  Ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であって、下りリンクでＯＦＤＭＡを採用し、上りリンクでＳＣ−ＦＤＭＡを採用する。ＬＴＥ−Ａ（Ａｄｖａｎｃｅｄ）システムは、３ＧＰＰ  ＬＴＥシステムの改良されたシステムである。本発明の技術的特徴に関する説明を明確にするために、本発明の実施例を３ＧＰＰ  ＬＴＥ／ＬＴＥ−Ａシステムを中心に説明するが、ＩＥＥＥ  ８０２．１６ｅ／ｍシステムなどに適用してもよい。
【００５６】
１．３ＧＰＰ  ＬＴＥ／ＬＴＥ＿Ａシステム
【００５７】
無線接続システムにおいて、端末は下りリンク（ＤＬ：Ｄｏｗｎｌｉｎｋ）を介して基地局から情報を受信し、上りリンク（ＵＬ：Ｕｐｌｉｎｋ）を介して基地局に情報を送信する。基地局と端末が送受信する情報は、一般データ情報及び様々な制御情報を含み、これらが送受信する情報の種類／用途によって様々な物理チャネルが存在する。
【００５８】
１．１  システム一般
【００５９】
図１は、本発明の実施例で使用できる物理チャネル及びこれらを用いた信号送信方法を説明するための図である。
【００６０】
電源が消えた状態で再び電源がついたり、新しくセルに進入したりした端末は、Ｓ１１段階で基地局と同期を取るなどの初期セル探索（Ｉｎｉｔｉａｌ  ｃｅｌｌ  ｓｅａｒｃｈ）作業を行う。そのために、端末は、基地局から１次同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及び２次同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。
【００６１】
その後、端末は、基地局から物理放送チャネル（ＰＢＣＨ：Ｐｈｙｓｉｃａｌ  Ｂｒｏａｄｃａｓｔ  Ｃｈａｎｎｅｌ）信号を受信してセル内の放送情報を取得することができる。一方、端末は、初期セル探索段階で下りリンク参照信号（ＤＬ  ＲＳ：Ｄｏｗｎｌｉｎｋ  Ｒｅｆｅｒｅｎｃｅ  Ｓｉｇｎａｌ）を受信して下りリンクチャネル状態を確認することができる。
【００６２】
初期セル探索を終えた端末は、Ｓ１２段階で、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理下りリンク制御チャネル情報に基づく物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を受信し、より具体的なシステム情報を取得することができる。
【００６３】
その後、端末は、基地局への接続を完了するために、段階Ｓ１３乃至段階Ｓ１６のようなランダムアクセス過程（Ｒａｎｄｏｍ  Ａｃｃｅｓｓ  Ｐｒｏｃｅｄｕｒｅ）を行うことができる。そのために、端末は、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を介してプリアンブル（ｐｒｅａｍｂｌｅ）を送信し（Ｓ１３）、物理下りリンク制御チャネル及びこれに対応する物理下りリンク共有チャネルを介してプリアンブルに対する応答メッセージを受信することができる（Ｓ１４）。競合ベースのランダムアクセスでは、端末は、さらなる物理ランダムアクセスチャネル信号の送信（Ｓ１５）、及び物理下りリンク制御チャネル信号及びこれに対応する物理下りリンク共有チャネル信号の受信（Ｓ１６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００６４】
上述したような手順を行った端末は、その後、一般的な上りリンク／下りリンク信号送信手順として、物理下りリンク制御チャネル信号及び／又は物理下りリンク共有チャネル信号の受信（Ｓ１７）及び物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）信号の送信（Ｓ１８）を行うことができる。
【００６５】
端末が基地局に送信する制御情報を総称して、上りリンク制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【００６６】
ＬＴＥシステムにおいて、ＵＣＩは、一般的にＰＵＣＣＨを介して周期的に送信するが、制御情報とトラフィックデータが同時に送信されるべき場合にはＰＵＳＣＨを介して送信してもよい。また、ネットワークの要求／指示に応じてＰＵＳＣＨを介してＵＣＩを非周期的に送信してもよい。
【００６７】
図２には、本発明の実施例で用いられる無線フレームの構造を示す。
【００６８】
図２（ａ）は、タイプ１フレーム構造（ｆｒａｍｅ  ｓｔｒｕｃｔｕｒｅ  ｔｙｐｅ  １）を示す。タイプ１フレーム構造は、全二重（ｆｕｌｌ  ｄｕｐｌｅｘ）ＦＤＤ（Ｆｒｅｑｕｅｎｃｙ  Ｄｉｖｉｓｉｏｎ  Ｄｕｐｌｅｘ）システムと半二重（ｈａｌｆ  ｄｕｐｌｅｘ）ＦＤＤシステムの両方に適用することができる。
【００６９】
１無線フレーム（ｒａｄｉｏ  ｆｒａｍｅ）は、
【数１】
0006392369.tif 000002
の長さを有し、
【数２】
0006392369.tif 000003
の均等な長さを有し、０から１９までのインデックスが与えられた２０個のスロットで構成される。１サブフレームは、２個の連続したスロットと定義され、ｉ番目のサブフレームは、２ｉ及び２ｉ＋１に該当するスロットで構成される。すなわち、無線フレーム（ｒａｄｉｏ  ｆｒａｍｅ）は、１０個のサブフレーム（ｓｕｂｆｒａｍｅ）で構成される。１サブフレームを送信するためにかかる時間をＴＴＩ（ｔｒａｎｓｍｉｓｓｉｏｎ  ｔｉｍｅ  ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは、時間領域で複数のＯＦＤＭシンボル又はＳＣ−ＦＤＭＡシンボルを含み、周波数領域で複数のリソースブロック（Ｒｅｓｏｕｒｃｅ  Ｂｌｏｃｋ）を含む。
【００７０】
１スロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは、下りリンクでＯＦＤＭＡを使用するので、ＯＦＤＭシンボルは１シンボル区間（ｓｙｍｂｏｌ  ｐｅｒｉｏｄ）を表現するためのものである。ＯＦＤＭシンボルは、１つのＳＣ−ＦＤＭＡシンボル又はシンボル区間ということができる。リソースブロック（ｒｅｓｏｕｒｃｅ  ｂｌｏｃｋ）は、リソース割り当て単位であって、１スロットで複数の連続した副搬送波（ｓｕｂｃａｒｒｉｅｒ）を含む。
【００７１】
全二重ＦＤＤシステムでは、各１０ｍｓ区間で１０個のサブフレームを下りリンク送信と上りリンク送信のために同時に利用することができる。このとき、上りリンク送信と下りリンク送信は周波数領域で区別される。その一方で、半二重ＦＤＤシステムでは、端末は送信と受信を同時に行うことができない。
【００７２】
上述した無線フレームの構造は一つの例示に過ぎず、無線フレームに含まれるサブフレームの数、サブフレームに含まれるスロットの数、又はスロットに含まれるＯＦＤＭシンボルの数は様々に変更されてもよい。
【００７３】
図２（ｂ）には、タイプ２フレーム構造（ｆｒａｍｅ  ｓｔｒｕｃｔｕｒｅ  ｔｙｐｅ  ２）を示す。タイプ２フレーム構造はＴＤＤシステムに適用される。１無線フレームは、
【数３】
0006392369.tif 000004
の長さを有し、
【数４】
0006392369.tif 000005
の長さを有する２個のハーフフレーム（ｈａｌｆ−ｆｒａｍｅ）で構成される。各ハーフフレームは、
【数５】
0006392369.tif 000006
の長さを有する５個のサブフレームで構成される。ｉ番目のサブフレームは、２ｉ及び２ｉ＋１に該当する各
【数６】
0006392369.tif 000007
の長さを有する２個のスロットで構成される。ここで、Ｔｓは、サンプリング時間を表し、Ｔｓ＝１／（１５ｋＨｚ×２０４８）＝３．２５５２×１０−８（約３３ｎｓ）で表示される。
【００７４】
タイプ２フレームは、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成される特別サブフレームを含む。ここで、ＤｗＰＴＳは、端末での初期セル探索、同期化又はチャネル推定に用いられる。ＵｐＰＴＳは、基地局でのチャネル推定と端末の上り送信同期を合わせるために用いられる。保護区間は、上りリンクと下りリンクとの間において下りリンク信号の多重経路遅延によって上りリンクで生じる干渉を除去するための区間である。
【００７５】
下記の表１に、特別フレームの構成（ＤｗＰＴＳ／ＧＰ／ＵｐＰＴＳの長さ）を示す。
【００７６】
［表１］
【表１】
0006392369.tif 000008
【００７７】
図３は、本発明の実施例で使用できる下りリンクスロットのリソースグリッド（ｒｅｓｏｕｒｃｅ  ｇｒｉｄ）を例示する図である。
【００７８】
図３を参照すると、１つの下りリンクスロットは、時間領域で複数のＯＦＤＭシンボルを含む。ここで、１つの下りリンクスロットは、７個のＯＦＤＭシンボルを含み、１つのリソースブロックは周波数領域で１２個の副搬送波を含むとするが、これに限定されるものではない。
【００７９】
リソースグリッド上で各要素（ｅｌｅｍｅｎｔ）をリソース要素（ｒｅｓｏｕｒｃｅ  ｅｌｅｍｅｎｔ）とし、１つのリソースブロックは１２×７個のリソース要素を含む。下りリンクスロットに含まれるリソースブロックの数ＮDLは、下りリンク送信帯域幅（ｂａｎｄｗｉｄｔｈ）に依存する。上りリンクスロットの構造は、下りリンクスロットの構造と同一であってもよい。
【００８０】
図４は、本発明の実施例で使用できる上りリンクサブフレームの構造を示す。
【００８１】
図４を参照すると、上りリンクサブフレームは、周波数領域で制御領域とデータ領域とに区別される。制御領域には、上りリンク制御情報を運ぶＰＵＣＣＨが割り当てられる。データ領域には、ユーザデータを運ぶＰＵＳＣＨが割り当てられる。単一搬送波特性を維持するために、一つの端末はＰＵＣＣＨとＰＵＳＣＨを同時に送信しない。一つの端末に対するＰＵＣＣＨにはサブフレーム内にＲＢ対が割り当てられる。ＲＢ対に属するＲＢは、２個のスロットのそれぞれで異なる副搬送波を占める。これを、ＰＵＣＣＨに割り当てられたＲＢ対はスロット境界（ｓｌｏｔ  ｂｏｕｎｄａｒｙ）で周波数跳躍（ｆｒｅｑｕｅｎｃｙ  ｈｏｐｐｉｎｇ）するという。
【００８２】
図５には、本発明の実施例で使用できる下りリンクサブフレームの構造を示す。
【００８３】
図５を参照すると、サブフレームにおける第一のスロットでＯＦＤＭシンボルインデックス０から最大３個のＯＦＤＭシンボルが、制御チャネルが割り当てられる制御領域（ｃｏｎｔｒｏｌ  ｒｅｇｉｏｎ）であり、残りのＯＦＤＭシンボルが、ＰＤＳＣＨが割り当てられるデータ領域（ｄａｔａ  ｒｅｇｉｏｎ）である。３ＧＰＰ  ＬＴＥで用いられる下りリンク制御チャネルの例には、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００８４】
ＰＣＦＩＣＨは、サブフレームにおける最初のＯＦＤＭシンボルで送信され、サブフレーム内に制御チャネルの送信のために使われるＯＦＤＭシンボルの数（すなわち、制御領域のサイズ）に関する情報を運ぶ。ＰＨＩＣＨは、上りリンクに対する応答チャネルであって、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を運ぶ。ＰＤＣＣＨを介して送信される制御情報を下りリンク制御情報（ＤＣＩ：ｄｏｗｎｌｉｎｋ  ｃｏｎｔｒｏｌ  ｉｎｆｏｒｍａｔｉｏｎ）という。下りリンク制御情報は、上りリンクリソース割り当て情報、下りリンクリソース割り当て情報、又は任意の端末グループに対する上りリンク送信（Ｔｘ）電力制御命令を含む。
【００８５】
１．２  ＰＤＣＣＨ（Ｐｈｙｓｉｃａｌ  Ｄｏｗｎｌｉｎｋ  Ｃｏｎｔｒｏｌ  Ｃｈａｎｎｅｌ）
【００８６】
１．２．１  ＰＤＣＣＨ一般
【００８７】
ＰＤＣＣＨは、ＤＬ−ＳＣＨ（Ｄｏｗｎｌｉｎｋ  Ｓｈａｒｅｄ  Ｃｈａｎｎｅｌ）のリソース割り当て及び送信フォーマット（すなわち、下りリンクグラント（ＤＬ−Ｇｒａｎｔ））、ＵＬ−ＳＣＨ（Ｕｐｌｉｎｋ  Ｓｈａｒｅｄ  Ｃｈａｎｎｅｌ）のリソース割り当て情報（すなわち、上りリンクグラント（ＵＬ−Ｇｒａｎｔ））、ＰＣＨ（Ｐａｇｉｎｇ  Ｃｈａｎｎｅｌ）におけるページング（ｐａｇｉｎｇ）情報、ＤＬ−ＳＣＨにおけるシステム情報、ＰＤＳＣＨで送信されるランダムアクセス応答（ｒａｎｄｏｍ  ａｃｃｅｓｓ  ｒｅｓｐｏｎｓｅ）のような上位レイヤ（ｕｐｐｅｒ−ｌａｙｅｒ）制御メッセージに対するリソース割り当て、任意の端末グループ内の個別端末に対する送信電力制御命令の集合、ＶｏＩＰ（Ｖｏｉｃｅ  ｏｖｅｒ  ＩＰ）活性化の有無に関する情報などを運ぶことができる。
【００８８】
複数のＰＤＣＣＨを制御領域内で送信することができ、端末は複数のＰＤＣＣＨをモニタすることができる。ＰＤＣＣＨは、１つ又は複数の連続したＣＣＥ（ｃｏｎｔｒｏｌ  ｃｈａｎｎｅｌ  ｅｌｅｍｅｎｔｓ）の集合（ａｇｇｒｅｇａｔｉｏｎ）で構成される。１つ又は複数の連続したＣＣＥの集合で構成されたＰＤＣＣＨは、サブブロックインターリービング（ｓｕｂｂｌｏｃｋ  ｉｎｔｅｒｌｅａｖｉｎｇ）を経た後、制御領域を通して送信することができる。ＣＣＥは、無線チャネルの状態による符号化率をＰＤＣＣＨに提供するために使われる論理的割り当て単位である。ＣＣＥは、複数のリソース要素グループ（ＲＥＧ：ｒｅｓｏｕｒｃｅ  ｅｌｅｍｅｎｔ  ｇｒｏｕｐ）に対応する。ＣＣＥの数とＣＣＥによって提供される符号化率との関係によってＰＤＣＣＨのフォーマット及び可能なＰＤＣＣＨのビット数が決定される。
【００８９】
１．２．２  ＰＤＣＣＨ構造
【００９０】
複数の端末に対する多重化された複数のＰＤＣＣＨが制御領域内で送信されてもよい。ＰＤＣＣＨは１つ又は２つ以上の連続したＣＣＥの集合（ＣＣＥ  ａｇｇｒｅｇａｔｉｏｎ）で構成される。ＣＣＥは、４個のリソース要素で構成されたＲＥＧの９個のセットに対応する単位のことを指す。各ＲＥＧには４個のＱＰＳＫ（Ｑｕａｄｒａｔｕｒｅ  Ｐｈａｓｅ  Ｓｈｉｆｔ  Ｋｅｙｉｎｇ）シンボルがマップされる。参照信号（ＲＳ：Ｒｅｆｅｒｅｎｃｅ  Ｓｉｇｎａｌ）によって占有されたリソース要素はＲＥＧに含まれない。すなわち、ＯＦＤＭシンボル内でＲＥＧの総個数は、セル特定参照信号が存在するか否かによって異なってくることがある。４個のリソース要素を１つのグループにマップするＲＥＧの概念は、他の下りリンク制御チャネル（例えば、ＰＣＦＩＣＨ又はＰＨＩＣＨ）にも適用することができる。ＰＣＦＩＣＨ又はＰＨＩＣＨに割り当てられないＲＥＧを
【数７】
0006392369.tif 000009
とすれば、システムで利用可能なＣＣＥの個数は
【数８】
0006392369.tif 000010
であり、各ＣＣＥは０から
【数９】
0006392369.tif 000011
までのインデックスを有する。
【００９１】
端末のデコーティングプロセスを単純化するために、ｎ個のＣＣＥを含むＰＤＣＣＨフォーマットは、ｎの倍数と同じインデックスを有するＣＣＥから始まってもよい。すなわち、ＣＣＥインデックスがｉである場合、
【数１０】
0006392369.tif 000012
を満たすＣＣＥから始まってもよい。
【００９２】
基地局は、１つのＰＤＣＣＨ信号を構成するために｛１，２，４，８｝個のＣＣＥを使用することができ、ここで、｛１，２，４，８｝をＣＣＥ集合レベル（ａｇｇｒｅｇａｔｉｏｎ  ｌｅｖｅｌ）と呼ぶ。特定ＰＤＣＣＨの送信のために使われるＣＣＥの個数はチャネル状態によって基地局で決定される。例えば、良好な下りリンクチャネル状態（基地局に近接している場合）を有する端末のためのＰＤＣＣＨは、１つのＣＣＥだけで十分でありうる。一方、よくないチャネル状態（セル境界にある場合）を有する端末の場合は、８個のＣＣＥが十分な堅牢さ（ｒｏｂｕｓｔｎｅｓｓ）のために要求されることがある。しかも、ＰＤＣＣＨの電力レベルも、チャネル状態にマッチングして調節されてもよい。
【００９３】
下記の表２にＰＤＣＣＨフォーマットを示す。ＣＣＥ集合レベルによって表２のように４つのＰＤＣＣＨフォーマットが支援される。
【００９４】
［表２］
【表２】
0006392369.tif 000013
【００９５】
端末ごとにＣＣＥ集合レベルが異なる理由は、ＰＤＣＣＨに乗せられる制御情報のフォーマット又はＭＣＳ（Ｍｏｄｕｌａｔｉｏｎ  ａｎｄ  Ｃｏｄｉｎｇ  Ｓｃｈｅｍｅ）レベルが異なるためである。ＭＣＳレベルは、データコーディングに用いられるコードレート（ｃｏｄｅ  ｒａｔｅ）と変調序列（ｍｏｄｕｌａｔｉｏｎ  ｏｒｄｅｒ）を意味する。適応的なＭＣＳレベルはリンク適応（ｌｉｎｋ  ａｄａｐｔａｔｉｏｎ）のために用いられる。一般に、制御情報を送信する制御チャネルでは３〜４個程度のＭＣＳレベルを考慮することができる。
【００９６】
制御情報のフォーマットを説明すると、ＰＤＣＣＨを介して送信される制御情報を下りリンク制御情報（ＤＣＩ）という。ＤＣＩフォーマットによってＰＤＣＣＨペイロード（ｐａｙｌｏａｄ）に乗せられる情報の構成が異なることがある。ＰＤＣＣＨペイロードは、情報ビット（ｉｎｆｏｒｍａｔｉｏｎ  ｂｉｔ）を意味する。下記の表３は、ＤＣＩフォーマットによるＤＣＩを示すものである。
【００９７】
［表３］
【表３】
0006392369.tif 000014
【００９８】
表３を参照すると、ＤＣＩフォーマットには、ＰＵＳＣＨスケジューリングのためのフォーマット０、１つのＰＤＳＣＨコードワードのスケジューリングのためのフォーマット１、１つのＰＤＳＣＨコードワードの簡単な（ｃｏｍｐａｃｔ）スケジューリングのためのフォーマット１Ａ、ＤＬ−ＳＣＨの非常に簡単なスケジューリングのためのフォーマット１Ｃ、閉ループ（Ｃｌｏｓｅｄ−ｌｏｏｐ）空間多重化（ｓｐａｔｉａｌ  ｍｕｌｔｉｐｌｅｘｉｎｇ）モードでＰＤＳＣＨスケジューリングのためのフォーマット２、開ループ（Ｏｐｅｎ−ｌｏｏｐ）空間多重化モードでＰＤＳＣＨスケジューリングのためのフォーマット２Ａ、上りリンクチャネルのためのＴＰＣ（Ｔｒａｎｓｍｉｓｓｉｏｎ  Ｐｏｗｅｒ  Ｃｏｎｔｒｏｌ）命令の送信のためのフォーマット３及び３Ａがある。また、多重アンテナポート送信モードでＰＵＳＣＨスケジューリングのためのＤＣＩフォーマット４が追加された。ＤＣＩフォーマット１Ａは、端末にいずれの送信モードが設定されてもＰＤＳＣＨスケジューリングのために用いることができる。
【００９９】
ＤＣＩフォーマットによってＰＤＣＣＨペイロード長が変わることがある。また、ＰＤＣＣＨペイロードの種類とそれによる長さは、簡単な（ｃｏｍｐａｃｔ）スケジューリングであるか否か、又は端末に設定された送信モード（ｔｒａｎｓｍｉｓｓｉｏｎ  ｍｏｄｅ）などによって異なってもよい。
【０１００】
送信モードは、端末がＰＤＳＣＨを介した下りリンクデータを受信するように設定（ｃｏｎｆｉｇｕｒａｔｉｏｎ）することができる。例えば、ＰＤＳＣＨを介した下りリンクデータには、端末にスケジュールされたデータ（ｓｃｈｅｄｕｌｅｄ  ｄａｔａ）、ページング、ランダムアクセス応答、又はＢＣＣＨを介したブロードキャスト情報などがある。ＰＤＳＣＨを介した下りリンクデータは、ＰＤＣＣＨを介してシグナルされるＤＣＩフォーマットと関係がある。送信モードは、上位層シグナリング（例えば、ＲＲＣ（Ｒａｄｉｏ  Ｒｅｓｏｕｒｃｅ  Ｃｏｎｔｒｏｌ）シグナリング）によって端末に半静的に（ｓｅｍｉ−ｓｔａｔｉｃａｌｌｙ）設定することができる。送信モードは、シングルアンテナ送信（Ｓｉｎｇｌｅ  ａｎｔｅｎｎａ  ｔｒａｎｓｍｉｓｓｉｏｎ）又はマルチアンテナ（Ｍｕｌｔｉ−ａｎｔｅｎｎａ）送信に区別できる。
【０１０１】
端末は、上位層シグナリングによって半静的（ｓｅｍｉ−ｓｔａｔｉｃ）に送信モードが設定される。例えば、マルチアンテナ送信には、送信ダイバーシチ（Ｔｒａｎｓｍｉｔ  ｄｉｖｅｒｓｉｔｙ）、開ループ（Ｏｐｅｎ−ｌｏｏｐ）又は閉ループ（Ｃｌｏｓｅｄ−ｌｏｏｐ）空間多重化（Ｓｐａｔｉａｌ  ｍｕｌｔｉｐｌｅｘｉｎｇ）、ＭＵ−ＭＩＭＯ（Ｍｕｌｔｉ−ｕｓｅｒ−Ｍｕｌｔｉｐｌｅ  Ｉｎｐｕｔ  Ｍｕｌｔｉｐｌｅ  Ｏｕｔｐｕｔ）、及びビーム形成（Ｂｅａｍｆｏｒｍｉｎｇ）などがある。送信ダイバーシチは、多重送信アンテナで同一のデータを送信して送信信頼度を高める技術である。空間多重化は、多重送信アンテナで互いに異なるデータを同時に送信し、システムの帯域幅を増加させることなく高速のデータを送信できる技術である。ビーム形成は、多重アンテナでチャネル状態による加重値を与えて信号のＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させる技術である。
【０１０２】
ＤＣＩフォーマットは、端末に設定された送信モードに依存する。端末は、自身に設定された送信モードによってモニタする参照（Ｒｅｆｅｒｅｎｃｅ）ＤＣＩフォーマットを有する。次の通り、端末に設定される送信モードは１０個の送信モードを有することができる。
●送信モード１：単一アンテナ送信
●送信モード２：送信ダイバーシチ
●送信モード３：レイヤが１個より大きい場合は、開ループ（Ｏｐｅｎ−ｌｏｏｐ）コードブックベースのプリコーディング、ランクが１である場合は送信ダイバーシチ
●送信モード４：閉ループ（Ｃｌｏｓｅｄ−ｌｏｏｐ）コードブックベースのプリコーディング
●送信モード５：送信モード４バージョンの多重ユーザＭＩＭＯ
●送信モード６：単一レイヤ送信に制限された特殊な場合の閉ループコードブックベースのプリコーディング
●送信モード７：単一レイヤ送信のみを支援するコードブックをベースにしないプリコーディング（ｒｅｌｅａｓｅ  ８）
●送信モード８：最大２個のレイヤまで支援するコードブックをベースにしないプリコーディング（ｒｅｌｅａｓｅ  ９）
●送信モード９：最大８個のレイヤまで支援するコードブックをベースにしないプリコーディング（ｒｅｌｅａｓｅ  １０）
●送信モード１０：最大８個のレイヤまで支援するコードブックをベースにしないプリコーディング、ＣＯＭＰ用途（ｒｅｌｅａｓｅ  １１）
【０１０３】
１．２．３  ＰＤＣＣＨ送信
【０１０４】
基地局は、端末に送信しようとするＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付加する。ＣＲＣにはＰＤＣＣＨの所有者（ｏｗｎｅｒ）や用途によって固有の識別子（例えば、ＲＮＴＩ（Ｒａｄｉｏ  Ｎｅｔｗｏｒｋ  Ｔｅｍｐｏｒａｒｙ  Ｉｄｅｎｔｉｆｉｅｒ））をマスクする。特定の端末のためのＰＤＣＣＨであれば、端末固有の識別子（例えば、Ｃ−ＲＮＴＩ（Ｃｅｌｌ−ＲＮＴＩ））をＣＲＣにマスクすることができる。又は、ページングメッセージのためのＰＤＣＣＨであれば、ページング指示識別子（例えば、Ｐ−ＲＮＴＩ（Ｐａｇｉｎｇ−ＲＮＴＩ））をＣＲＣにマスクすることができる。システム情報、より具体的にシステム情報ブロック（ｓｙｓｔｅｍ  ｉｎｆｏｒｍａｔｉｏｎ  ｂｌｏｃｋ、ＳＩＢ）のためのＰＤＣＣＨであれば、システム情報識別子（例えば、ＳＩ−ＲＮＴＩ（ｓｙｓｔｅｍ  ｉｎｆｏｒｍａｔｉｏｎ  ＲＮＴＩ））をＣＲＣにマスクすることができる。端末のランダムアクセスプリアンブルの送信に対する応答であるランダムアクセス応答を示すために、ＲＡ−ＲＮＴＩ（ｒａｎｄｏｍ  ａｃｃｅｓｓ−ＲＮＴＩ）をＣＲＣにマスクすることができる。
【０１０５】
続いて、基地局は、ＣＲＣの付加された制御情報にチャネルコーディングを行って符号化されたデータ（ｃｏｄｅｄ  ｄａｔａ）を生成する。このとき、ＭＣＳレベルによるコードレートでチャネルコーディングを行うことができる。基地局は、ＰＤＣＣＨフォーマットに割り当てられたＣＣＥ集合レベルによる伝送率マッチング（ｒａｔｅ  ｍａｔｃｈｉｎｇ）を行い、符号化されたデータを変調して変調シンボルを生成する。この時、ＭＣＳレベルによる変調序列を用いることができる。１つのＰＤＣＣＨを構成する変調シンボルは、ＣＣＥ集合レベルが１、２、４、８のいずれか一つであってもよい。その後、基地局は、変調シンボルを物理的なリソース要素にマップ（ＣＣＥ  ｔｏ  ＲＥ  ｍａｐｐｉｎｇ）する。
【０１０６】
１．２．４  ブラインドデコーディング（ＢＳ：Ｂｌｉｎｄ  Ｄｅｃｏｄｉｎｇ）
【０１０７】
一つのサブフレーム内で複数のＰＤＣＣＨが送信されてもよい。すなわち、一つのサブフレームの制御領域は、インデックス０〜
【数１１】
0006392369.tif 000015
を有する複数のＣＣＥで構成される。ここで、
【数１２】
0006392369.tif 000016
は、ｋ番目のサブフレームの制御領域内における総ＣＣＥの個数を意味する。端末は、毎サブフレームごとに複数のＰＤＣＣＨをモニタする。ここで、モニタリングとは、端末がモニタされるＰＤＣＣＨフォーマットによってＰＤＣＣＨのそれぞれのデコーディングを試みることをいう。
【０１０８】
基地局は、端末にサブフレーム内に割り当てられた制御領域で該当のＰＤＣＣＨがどこに位置するのかに関する情報を提供しない。端末は、基地局から送信された制御チャネルを受信するために自身のＰＤＣＣＨがどの位置でどのＣＣＥ集合レベルやＤＣＩフォーマットで送信されるのかを把握できず、サブフレーム内でＰＤＣＣＨ候補（ｃａｎｄｉｄａｔｅ）の集合をモニタして自身のＰＤＣＣＨを探す。これをブラインドデコーディング（ＢＤ）という。ブラインドデコーディングとは、端末がＣＲＣ部分に自身の端末識別子（ＵＥ  ＩＤ）をデマスク（Ｄｅ−Ｍａｓｋｉｎｇ）した後、ＣＲＣ誤りを検討し、当該ＰＤＣＣＨが自身の制御チャネルであるか否かを確認する方法をいう。
【０１０９】
活性モード（ａｃｔｉｖｅ  ｍｏｄｅ）で、端末は、自身に送信されるデータを受信するために毎サブフレームのＰＤＣＣＨをモニタする。ＤＲＸモードで、端末は、毎ＤＲＸ周期のモニタリング区間で起床（ｗａｋｅ  ｕｐ）し、モニタリング区間に該当するサブフレームでＰＤＣＣＨをモニタする。ＰＤＣＣＨのモニタリングが行われるサブフレームをｎｏｎ−ＤＲＸサブフレームという。
【０１１０】
端末は、自身に送信されるＰＤＣＣＨを受信するためには、ｎｏｎ−ＤＲＸサブフレームの制御領域に存在する全てのＣＣＥに対してブラインドデコーディングを行わなければならない。端末は、いずれのＰＤＣＣＨフォーマットが送信されるのかを把握できないことから、毎ｎｏｎ−ＤＲＸサブフレーム内でＰＤＣＣＨのブラインドデコーディングに成功するまで、可能なＣＣＥ集団レベルでＰＤＣＣＨを全てデコードしなければならない。端末は、自身のためのＰＤＣＣＨがいくつのＣＣＥを用いるのかを把握できず、ＰＤＣＣＨのブラインドデコーディングに成功するまで、可能な全てのＣＣＥ集団レベルで検出を試みなければならない。
【０１１１】
ＬＴＥシステムでは、端末のブラインドデコーディングのためにサーチスペース（ＳＳ：Ｓｅａｒｃｈ  Ｓｐａｃｅ）概念を定義する。サーチスペースは、端末がモニタするためのＰＤＣＣＨ候補セットを意味し、各ＰＤＣＣＨフォーマットによって異なるサイズを有することができる。サーチスペースは、共用サーチスペース（ＣＳＳ：Ｃｏｍｍｏｎ  Ｓｅａｒｃｈ  Ｓｐａｃｅ）及び端末特定サーチスペース（ＵＳＳ：ＵＥ−ｓｐｅｃｉｆｉｃ／Ｄｅｄｉｃａｔｅｄ  Ｓｅａｒｃｈ  Ｓｐａｃｅ）を含むことができる。
【０１１２】
共用サーチスペースの場合、全ての端末が共用サーチスペースのサイズを認知できるが、端末特定サーチスペースは、各端末ごとに個別に設定することができる。したがって、端末は、ＰＤＣＣＨをデコードするために、端末特定サーチスペース及び共用サーチスペースを全てモニタしなければならなく、したがって、1サブフレームで最大４４回のブラインドデコーディング（ＢＤ）を行うことになる。ここには、異なるＣＲＣ値（例えば、Ｃ−ＲＮＴＩ、Ｐ−ＲＮＴＩ、ＳＩ−ＲＮＴＩ、ＲＡ−ＲＮＴＩ）によって行うブラインドデコーディングは含まれない。
【０１１３】
サーチスペースの制約によって、与えられたサブフレーム内で基地局がＰＤＣＣＨを送信しようとする端末の全てにＰＤＣＣＨを送信するためのＣＣＥリソースが確保されない場合が発生しうる。なぜなら、ＣＣＥ位置が割り当てられて残ったリソースは、特定端末のサーチスペース内に含まれないことがあるためである。次のサブフレームでも続き得るこのような障壁を最小化するために、端末特定跳躍（ｈｏｐｐｉｎｇ）シーケンスを端末特定サーチスペースの始点に適用することができる。
【０１１４】
表４は、共用サーチスペースと端末特定サーチスペースのサイズを示す。
【０１１５】
［表４］
【表４】
0006392369.tif 000017
【０１１６】
ブラインドデコーディングを試みる回数による端末の負荷を軽減するために、端末は、定義された全てのＤＣＩフォーマットによるサーチを同時に行うわけではない。具体的に、端末は、端末特定サーチスペースで常にＤＣＩフォーマット０及び１Ａに対するサーチを行う。この時、ＤＣＩフォーマット０と１Ａは同じサイズを有するが、端末は、ＰＤＣＣＨに含まれたＤＣＩフォーマット０と１Ａを区別するために用いられるフラグ（ｆｌａｇ  ｆｏｒ  ｆｏｒｍａｔ  ０／ｆｏｒｍａｔ  １Ａ  ｄｉｆｆｅｒｅｎｔｉａｔｉｏｎ）を用いてＤＣＩフォーマットを区別することができる。また、端末にＤＣＩフォーマット０とＤＣＩフォーマット１Ａに加えて他のＤＣＩフォーマットが要求されてもよいが、その一例としてＤＣＩフォーマット１、１Ｂ、２がある。
【０１１７】
共用サーチスペースで、端末は、ＤＣＩフォーマット１Ａと１Ｃをサーチすることができる。また、端末はＤＣＩフォーマット３又は３Ａをサーチするように設定されてもよく、ＤＣＩフォーマット３と３Ａは、ＤＣＩフォーマット０と１Ａと同じサイズを有するが、端末は、端末特定識別子以外の識別子によってスクランブルされたＣＲＣを用いてＤＣＩフォーマットを区別することができる。
【０１１８】
サーチスペース
【数１３】
0006392369.tif 000018
は、集合レベル
【数１４】
0006392369.tif 000019
によるＰＤＣＣＨ候補セットを意味する。サーチスペースのＰＤＣＣＨ候補セット
【数１５】
0006392369.tif 000020
によるＣＣＥは、次式１によって決定することができる。
【０１１９】
［式１］
【数１６】
0006392369.tif 000021
【０１２０】
ここで、
【数１７】
0006392369.tif 000022
は、サーチスペースでモニタするためのＣＣＥ集合レベルＬによるＰＤＣＣＨ候補の個数を表し、
【数１８】
0006392369.tif 000023
である。
【数１９】
0006392369.tif 000024
は、ＰＤＣＣＨ候補で個別ＣＣＥを指定するインデックスであり、
【数２０】
0006392369.tif 000025
である。
【数２１】
0006392369.tif 000026
であり、
【数２２】
0006392369.tif 000027
は、無線フレーム内でのスロットインデックスを表す。
【０１２１】
上述したように、端末は、ＰＤＣＣＨをデコードするために端末特定サーチスペース及び共用サーチスペースの両方をモニタする。ここで、共用サーチスペース（ＣＳＳ）は、｛４，８｝の集合レベルを有するＰＤＣＣＨを支援し、端末特定サーチスペース（ＵＳＳ）は、｛１，２，４，８｝の集合レベルを有するＰＤＣＣＨを支援する。表５は、端末によってモニタされるＰＤＣＣＨ候補を表す。
【０１２２】
［表５］
【表５】
0006392369.tif 000028
【０１２３】
式１を参照すると、共用サーチスペースの場合、２個の集合レベル、Ｌ＝４及びＬ＝８に対して
【数２３】
0006392369.tif 000029
は０に設定される。一方、端末特定サーチスペースの場合、集合レベルＬに対して
【数２４】
0006392369.tif 000030
は式２のように定義される。
【０１２４】
［式２］
【数２５】
0006392369.tif 000031
【０１２５】
ここで、
【数２６】
0006392369.tif 000032
であり、
【数２７】
0006392369.tif 000033
はＲＮＴＩ値を表す。また、
【数２８】
0006392369.tif 000034
であり、
【数２９】
0006392369.tif 000035
である。
【０１２６】
１．３  ＰＵＣＣＨ（Ｐｈｙｓｉｃａｌ  Ｕｐｌｉｎｋ  Ｃｏｎｔｒｏｌ  Ｃｈａｎｎｅｌ）
【０１２７】
ＰＵＣＣＨは、上りリンク制御情報を送信するために次のフォーマットを含む。
【０１２８】
（１）フォーマット１：オン−オフキー（ＯＯＫ：Ｏｎ−Ｏｆｆ  ｋｅｙｉｎｇ）変調、スケジューリング要求（ＳＲ：Ｓｃｈｅｄｕｌｉｎｇ  Ｒｅｑｕｅｓｔ）に用いる。
【０１２９】
（２）フォーマット１ａとフォーマット１ｂ：ＡＣＫ／ＮＡＣＫ送信に用いる。
１）フォーマット１ａ：１個のコードワードに対するＢＰＳＫ  ＡＣＫ／ＮＡＣＫ
２）フォーマット１ｂ：２個のコードワードに対するＱＰＳＫ  ＡＣＫ／ＮＡＣＫ
【０１３０】
（３）フォーマット２：ＱＰＳＫ変調、ＣＱＩ送信に用いる。
【０１３１】
（４）フォーマット２ａとフォーマット２ｂ：ＣＱＩ及びＡＣＫ／ＮＡＣＫの同時送信に用いる。
【０１３２】
表６には、ＰＵＣＣＨフォーマットによる変調方式とサブフレーム当たりビット数を示す。表７には、ＰＵＣＣＨフォーマットによるスロット当たり参照信号の個数を示す。表８には、ＰＵＣＣＨフォーマットによる参照信号のＳＣ−ＦＤＭＡシンボル位置を示す。表６で、ＰＵＣＣＨフォーマット２ａと２ｂは一般循環前置の場合に該当する。
【０１３３】
［表６］
【表６】
0006392369.tif 000036
【０１３４】
［表７］
【表７】
0006392369.tif 000037
【０１３５】
［表８］
【表８】
0006392369.tif 000038
【０１３６】
図６は、一般循環前置の場合におけるＰＵＣＣＨフォーマット１ａ及び１ｂを示し、図７は、拡張循環前置の場合におけるＰＵＣＣＨフォーマット１ａ及び１ｂを示す図である。
【０１３７】
ＰＵＣＣＨフォーマット１ａ及び１ｂは、同じ内容の制御情報がサブフレーム内でスロット単位で反復される。各端末で、ＡＣＫ／ＮＡＣＫ信号は、ＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの異なる循環シフト（ＣＳ：ｃｙｃｌｉｃ  ｓｈｉｆｔ）（周波数領域コード）と直交カバーコード（ＯＣ／ＯＣＣ：ｏｒｔｈｏｇｏｎａｌ  ｃｏｖｅｒ／ｏｒｔｈｏｇｏｎａｌ  ｃｏｖｅｒ  ｃｏｄｅ）（時間領域拡散コード）とで構成された異なるリソースで送信される。ＯＣは、例えば、ウォルシュ（Ｗａｌｓｈ）／ＤＦＴ直交コードを含む。ＣＳの個数が６個、ＯＣの個数が３個なら、単一アンテナを基準に、総１８個の端末を１つのＰＲＢ（Ｐｈｙｓｉｃａｌ  Ｒｅｓｏｕｒｃｅ  Ｂｌｏｃｋ）内で多重化できる。直交シーケンスｗ０，ｗ１，ｗ２，ｗ３は、（ＦＦＴ変調後に）任意の時間領域で、又は（ＦＦＴ変調前に）任意の周波数領域で適用することができる。
【０１３８】
ＳＲと持続的スケジューリング（ｐｅｒｓｉｓｔｅｎｔ  ｓｃｈｅｄｕｌｉｎｇ）のために、ＣＳ、ＯＣ及びＰＲＢ（Ｐｈｙｓｉｃａｌ  Ｒｅｓｏｕｒｃｅ  Ｂｌｏｃｋ）で構成されたＡＣＫ／ＮＡＣＫリソースを、ＲＲＣ（Ｒａｄｉｏ  Ｒｅｓｏｕｒｃｅ  Ｃｏｎｔｒｏｌ）を用いて端末に与えることができる。動的ＡＣＫ／ＮＡＣＫと非持続的スケジューリング（ｎｏｎ−ｐｅｒｓｉｓｔｅｎｔ  ｓｃｈｅｄｕｌｉｎｇ）のために、ＡＣＫ／ＮＡＣＫリソースは、ＰＤＳＣＨに対応するＰＤＣＣＨの最も小さい（ｌｏｗｅｓｔ）ＣＣＥインデックスによって暗黙的に（ｉｍｐｌｉｃｉｔｌｙ）端末に与えられてもよい。
【０１３９】
表９には、ＰＵＣＣＨフォーマット１／１ａ／１ｂのための長さ４の直交シーケンス（ＯＣ）を示す。表１０には、ＰＵＣＣＨフォーマット１／１ａ／１ｂのための長さ３の直交シーケンス（ＯＣ）を示す。
【０１４０】
［表９］
【表９】
0006392369.tif 000039
【０１４１】
［表１０］
【表１０】
0006392369.tif 000040
【０１４２】
表１１には、ＰＵＣＣＨフォーマット１ａ／１ｂでＲＳのための直交シーケンス（ＯＣ）
【数３０】
0006392369.tif 000041
を示す。
【０１４３】
［表１１］
【表１１】
0006392369.tif 000042
【０１４４】
図８は、一般循環前置の場合におけるＰＵＣＣＨフォーマット２／２ａ／２ｂを示し、図９は、拡張循環前置の場合におけるＰＵＣＣＨフォーマット２／２ａ／２ｂを示す。
【０１４５】
図８及び図９を参照すると、一般循環前置の場合に、１つのサブフレームは、ＲＳシンボルの他、１０個のＱＰＳＫデータシンボルで構成される。それぞれのＱＰＳＫシンボルはＣＳによって周波数領域で拡散された後、該当のＳＣ−ＦＤＭＡシンボルにマップされる。ＳＣ−ＦＤＭＡシンボルレベルＣＳホッピングは、インターセル干渉をランダム化するために適用することができる。ＲＳは、循環シフトを用いてＣＤＭによって多重化することができる。例えば、可用のＣＳの個数を１２又は６と仮定すれば、同一ＰＲＢ内にそれぞれ１２又は６個の端末を多重化することができる。要するに、ＰＵＣＣＨフォーマット１／１ａ／１ｂと２／２ａ／２ｂにおいて、複数の端末をＣＳ＋ＯＣ＋ＰＲＢとＣＳ＋ＰＲＢによってそれぞれ多重化することができる。
【０１４６】
図１０は、ＰＵＣＣＨフォーマット１ａ及び１ｂに対するＡＣＫ／ＮＡＣＫチャネル化（ｃｈａｎｎｅｌｉｚａｔｉｏｎ）を説明する図である。図１０は、
【数３１】
0006392369.tif 000043
の場合に該当する。
【０１４７】
図１１は、同一ＰＲＢにおいてＰＵＣＣＨフォーマット１ａ／１ｂとフォーマット２／２ａ／２ｂとが混合された構造に対するチャネル化を示す図である。
【０１４８】
循環シフト（ＣＳ：Ｃｙｃｌｉｃ  Ｓｈｉｆｔ）ホッピング（ｈｏｐｐｉｎｇ）と直交カバー（ＯＣ：Ｏｒｔｈｏｇｏｎａｌ  Ｃｏｖｅｒ）再マッピング（ｒｅｍａｐｐｉｎｇ）を、次のように適用することができる。
【０１４９】
（１）インターセル干渉（ｉｎｔｅｒ−ｃｅｌｌ  ｉｎｔｅｒｆｅｒｅｎｃｅ）のランダム化のためのシンボルベースのセル特定ＣＳホッピング
【０１５０】
（２）スロットレベルＣＳ／ＯＣ再マッピング
１）インターセル干渉ランダム化のために
２）ＡＣＫ／ＮＡＣＫチャネルとリソース（ｋ）との間のマッピングのためのスロットベースの接近
【０１５１】
一方、ＰＵＣＣＨフォーマット１ａ／１ｂのためのリソース（ｎr）は次の組合せを含む。
（１）ＣＳ（＝シンボルレベルでＤＦＴ直交コードと同一）（ｎcs）
（２）ＯＣ（スロットレベルで直交カバー）（ｎoc）
（３）周波数ＲＢ（Ｒｅｓｏｕｒｃｅ  Ｂｌｏｃｋ）（ｎrb）
【０１５２】
ＣＳ、ＯＣ、ＲＢを示すインデックスをそれぞれｎcs、ｎoc、ｎrbとすれば、代表インデックス（ｒｅｐｒｅｓｅｎｔａｔｉｖｅ  ｉｎｄｅｘ）ｎrはｎcs、ｎoc、ｎrbを含む。ｎrは、ｎr＝（ｎcs、ｎoc、ｎrb）を満たす。
【０１５３】
ＣＱＩ、ＰＭＩ、ＲＩ、及びＣＱＩとＡＣＫ／ＮＡＣＫとの組合せは、ＰＵＣＣＨフォーマット２／２ａ／２ｂで伝達することができる。このとき、リードマラー（ＲＭ：Ｒｅｅｄ  Ｍｕｌｌｅｒ）チャネルコーディングを適用することができる。
【０１５４】
例えば、ＬＴＥシステムにおいてＵＬ  ＣＱＩのためのチャネルコーディングは、次のように記述される。ビットストリーム（ｂｉｔ  ｓｔｒｅａｍ）
【数３２】
0006392369.tif 000044
は、（２０，Ａ）ＲＭコードを用いてチャネルコードされる。ここで、
【数３３】
0006392369.tif 000045
と
【数３４】
0006392369.tif 000046
は、ＭＳＢ（Ｍｏｓｔ  Ｓｉｇｎｉｆｉｃａｎｔ  Ｂｉｔ）とＬＳＢ（Ｌｅａｓｔ  Ｓｉｇｎｉｆｉｃａｎｔ  Ｂｉｔ）を表す。拡張循環前置の場合、ＣＱＩとＡＣＫ／ＮＡＣＫが同時送信される場合を除いては最大情報ビットは１１ビットである。ＲＭコードを用いて２０ビットでコードした後、ＱＰＳＫ変調を適用することができる。ＱＰＳＫ変調前に、コードされたビットはスクランブルされてもよい。
【０１５５】
表１２には、（２０，Ａ）コードのための基本シーケンスを示す。
【０１５６】
［表１２］
【表１２】
0006392369.tif 000047
【０１５７】
チャネルコーディングビット
【数３５】
0006392369.tif 000048
は、下記の式３によって生成することができる。
【０１５８】
［式３］
【数３６】
0006392369.tif 000049
【０１５９】
ここで、ｉ＝０，１，２，…，Ｂ−１を満たす。
【０１６０】
広帯域報告（ｗｉｄｅｂａｎｄ  ｒｅｐｏｒｔｓ）の場合、ＣＱＩ／ＰＭＩのためのＵＣＩ（Ｕｐｌｉｎｋ  Ｃｏｎｔｒｏｌ  Ｉｎｆｏｒｍａｔｉｏｎ）フィールドの帯域幅は、下記の表１３乃至表１５のとおりである。
【０１６１】
表１３には、広帯域報告（単一アンテナポート、送信ダイバーシチ（ｔｒａｎｓｍｉｔ  ｄｉｖｅｒｓｉｔｙ）又は開ループ空間多重化（ｏｐｅｎ  ｌｏｏｐ  ｓｐａｔｉａｌ  ｍｕｌｔｉｐｌｅｘｉｎｇ）ＰＤＳＣＨ送信）の場合に、ＣＱＩフィードバックのためのＵＣＩフィールドを示す。
【０１６２】
［表１３］
【表１３】
0006392369.tif 000050
【０１６３】
表１４には、広帯域報告（閉ループ空間多重化（ｃｌｏｓｅｄ  ｌｏｏｐ  ｓｐａｔｉａｌ  ｍｕｌｔｉｐｌｅｘｉｎｇ）ＰＤＳＣＨ送信）の場合に、ＣＱＩ及びＰＭＩフィードバックのためのＵＣＩフィールドを示す。
【０１６４】
［表１４］
【表１４】
0006392369.tif 000051
【０１６５】
表１５には、広帯域報告の場合、ＲＩフィードバックのためのＵＣＩフィールドを示す。
【０１６６】
［表１５］
【表１５】
0006392369.tif 000052
【０１６７】
図１２は、ＰＲＢ割り当てを示す図である。図１２に示すように、ＰＲＢは、スロットｎｓでＰＵＣＣＨ送信のために用いることができる。
【０１６８】
３． キャリア併合（ＣＡ：Ｃａｒｒｉｅｒ  Ａｇｇｒｅｇａｔｉｏｎ）環境
【０１６９】
３．１  ＣＡ一般
【０１７０】
３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；Ｒｅｌ−８又はＲｅｌ−９）システム（以下、ＬＴＥシステム）は、単一コンポーネントキャリア（ＣＣ：Ｃｏｍｐｏｎｅｎｔ  Ｃａｒｒｉｅｒ）を複数の帯域に分割して使用する多重搬送波変調（ＭＣＭ：Ｍｕｌｔｉ−Ｃａｒｒｉｅｒ  Ｍｏｄｕｌａｔｉｏｎ）方式を用いる。しかし、３ＧＰＰ  ＬＴＥ−Ａｄｖａｎｃｅｄシステム（以下、ＬＴＥ−Ａシステム）では、ＬＴＥシステムに比べて広帯域のシステム帯域幅を支援するために、一つ以上のコンポーネントキャリアを結合して使用するキャリア併合（ＣＡ：Ｃａｒｒｉｅｒ  Ａｇｇｒｅｇａｔｉｏｎ）のような方法を用いることができる。キャリア併合は、搬送波集成、搬送波整合、マルチコンポーネントキャリア環境（Ｍｕｌｔｉ−ＣＣ）、又はマルチキャリア環境と呼ぶこともできる。
【０１７１】
本発明において、マルチキャリアはキャリアの併合（又は、搬送波集成）を意味し、この場合、キャリアの併合は、隣接した（ｃｏｎｔｉｇｕｏｕｓ）キャリア間の併合だけでなく、非隣接した（ｎｏｎ−ｃｏｎｔｉｇｕｏｕｓ）キャリア間の併合も意味する。また、下りリンクと上りリンクにおいて集成されるコンポーネントキャリアの数を異なるように設定してもよい。下りリンクコンポーネントキャリア（以下、「ＤＬ  ＣＣ」という。）の数と上りリンクコンポーネントキャリア（以下、「ＵＬ  ＣＣ」という。）の数とが一致する場合を対称的（ｓｙｍｍｅｔｒｉｃ）併合といい、両者の数が異なる場合を非対称的（ａｓｙｍｍｅｔｒｉｃ）併合という。このようなキャリア併合は、搬送波集成、帯域幅集成（ｂａｎｄｗｉｄｔｈ  ａｇｇｒｅｇａｔｉｏｎ）、スペクトル集成（ｓｐｅｃｔｒｕｍ  ａｇｇｒｅｇａｔｉｏｎ）などのような用語に言い換えてもよい。
【０１７２】
２つ以上のコンポーネントキャリアが結合して構成されるキャリア併合は、ＬＴＥ−Ａシステムでは１００ＭＨｚ帯域幅まで支援することを目標とする。目標帯域よりも小さい帯域幅を有する１個以上のキャリアを結合するとき、結合するキャリアの帯域幅は、既存ＩＭＴシステムとの互換性（ｂａｃｋｗａｒｄ  ｃｏｍｐａｔｉｂｉｌｉｔｙ）維持のために、既存システムで使用する帯域幅に制限することができる。
【０１７３】
例えば、既存の３ＧＰＰ  ＬＴＥシステムでは、｛１．４、３、５、１０、１５、２０｝ＭＨｚ帯域幅を支援し、３ＧＰＰ  ＬＴＥ−ａｄｖａｎｃｅｄシステム（すなわち、ＬＴＥ−Ａ）では、既存システムとの互換のために、それらの帯域幅のみを用いて２０ＭＨｚよりも大きい帯域幅を支援するようにすることができる。また、本発明で用いられるキャリア併合システムは、既存システムで用いる帯域幅にかかわらず、新しい帯域幅を定義してキャリア併合を支援するようにすることもできる。
【０１７４】
また、このようなキャリア併合は、イントラ−バンドＣＡ（Ｉｎｔｒａ−ｂａｎｄ  ＣＡ）とインター−バンドＣＡ（Ｉｎｔｅｒ−ｂａｎｄ  ＣＡ）とに区別できる。イントラ−バンドキャリア併合とは、複数のＤＬ  ＣＣ及び／又はＵＬ  ＣＣが周波数上で隣接したり近接して位置することを意味する。言い換えると、ＤＬ  ＣＣ及び／又はＵＬ  ＣＣのキャリア周波数が同じ帯域内に位置することを意味できる。一方、周波数領域において遠く離れている環境をインター−バンドＣＡ（Ｉｎｔｅｒ−Ｂａｎｄ  ＣＡ）と呼ぶことができる。言い換えると、複数のＤＬ ＣＣ及び／又はＵＬ  ＣＣのキャリア周波数が、互いに異なる帯域に位置することを意味できる。この場合、端末は、キャリア併合環境における通信を行うために、複数のＲＦ（ｒａｄｉｏ  ｆｒｅｑｕｅｎｃｙ）端を使用することもできる。
【０１７５】
ＬＴＥ−Ａシステムは、無線リソースを管理するためにセル（ｃｅｌｌ）の概念を用いる。上述したキャリア併合環境は、多重セル（ｍｕｌｔｉｐｌｅ  ｃｅｌｌｓ）環境と呼ぶことができる。セルは、下りリンクリソース（ＤＬ  ＣＣ）及び上りリンクリソース（ＵＬ  ＣＣ）の組合せと定義されるか、上りリンクリソースは必須要素ではない。このため、セルは、下りリンクリソース単独、又は下りリンクリソース及び上りリンクリソースの両者で構成することができる。
【０１７６】
例えば、特定端末が、１個の設定されたサービングセル（ｃｏｎｆｉｇｕｒｅｄ  ｓｅｒｖｉｎｇ  ｃｅｌｌ）を有する場合、１個のＤＬ  ＣＣと１個のＵＬ  ＣＣを有することができる。しかし、特定端末が２個以上の設定されたサービングセルを有する場合には、セルの数だけのＤＬ  ＣＣを有し、ＵＬ  ＣＣの数はそれと同数又は小さい数であってもよい。又は、これと逆にＤＬ  ＣＣとＵＬ  ＣＣが構成されてもよい。すなわち、特定端末が複数の設定されたサービングセルを有する場合、ＤＬ  ＣＣの数よりもＵＬ  ＣＣが多いキャリア併合環境が支援されてもよい。
【０１７７】
また、キャリア併合（ＣＡ）は、それぞれのキャリア周波数（セルの中心周波数）が異なる２つ以上のセルの併合と理解されてもよい。キャリア併合でいう「セル（Ｃｅｌｌ）」は、一般的に使われる、基地局のカバーする地理的領域としての「セル」とは区別されなければならない。以下、上述したイントラ−バンドキャリア併合をイントラ−バンド多重セルといい、インター−帯域キャリア併合をインター−バンド多重セルという。
【０１７８】
ＬＴＥ−Ａシステムで用いられるセルは、プライマリセル（ＰＣｅｌｌ：Ｐｒｉｍａｒｙ  Ｃｅｌｌ）及びセカンダリセル（ＳＣｅｌｌ：Ｓｅｃｏｎｄａｒｙ  Ｃｅｌｌ）を含む。ＰセルとＳセルはサービングセル（Ｓｅｒｖｉｎｇ  Ｃｅｌｌ）として用いることができる。ＲＲＣ＿ＣＯＮＮＥＣＴＥＤ状態にあるが、キャリア併合が設定されていないか又はキャリア併合を支援しない端末の場合、Ｐセルのみで構成されたサービングセルが１つのみ存在する。一方、ＲＲＣ＿ＣＯＮＮＥＣＴＥＤ状態であるとともに、キャリア併合が設定されている端末の場合、一つ以上のサービングセルが存在してもよく、全体のサービングセルにはＰセルと一つ以上のＳセルが含まれる。
【０１７９】
サービングセル（ＰセルとＳセル）は、ＲＲＣパラメータを用いて設定することができる。ＰｈｙｓＣｅｌｌＩｄは、セルの物理層識別子であって、０から５０３までの整数値を有する。ＳＣｅｌｌＩｎｄｅｘは、Ｓセルを識別するために使われる簡略な（ｓｈｏｒｔ）識別子であって、１から７までの整数値を有する。ＳｅｒｖＣｅｌｌＩｎｄｅｘは、サービングセル（Ｐセル又はＳセル）を識別するために使われる簡略な（ｓｈｏｒｔ）識別子であって、０から７までの整数値を有する。０値はＰセルに適用され、ＳＣｅｌｌＩｎｄｅｘはＳセルに適用するためにあらかじめ与えられる。すなわち、ＳｅｒｖＣｅｌｌＩｎｄｅｘにおいて最も小さいセルＩＤ（又はセルインデックス）を有するセルがＰセルとなる。
【０１８０】
Ｐセルは、プライマリ周波数（又は、ｐｒｉｍａｒｙ  ＣＣ）上で動作するセルを意味する。端末が初期接続設定（ｉｎｉｔｉａｌ  ｃｏｎｎｅｃｔｉｏｎ  ｅｓｔａｂｌｉｓｈｍｅｎｔ）過程を行ったり、接続再−設定過程を行うために用いられてもよく、ハンドオーバー過程で指示されたセルのことを指してもよい。また、Ｐセルは、キャリア併合環境で設定されたサービングセルのうち、制御関連通信の中心となるセルを意味する。すなわち、端末は、自身のＰセルでのみＰＵＣＣＨを受け取って送信することができ、システム情報を取得したり、モニタリング手順を変更する時にＰセルのみを用いることができる。Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）は、キャリア併合環境を支援する端末に対して、移動性制御情報（ｍｏｂｉｌｉｔｙＣｏｎｔｒｏｌＩｎｆｏ）を含む上位層のＲＲＣ接続再設定（ＲＲＣＣｏｎｎｅｃｔｉｏｎＲｅｃｏｎｆｉｇｕｔａｉｏｎ）メッセージを用いてハンドオーバー手順のためにＰセルのみを変更することもできる。
【０１８１】
Ｓセルは、セカンダリ周波数（又は、Ｓｅｃｏｎｄａｒｙ  ＣＣ）上で動作するセルを意味できる。特定端末にＰセルは１つのみ割り当てられ、Ｓセルは１つ以上割り当てられてもよい。Ｓセルは、ＲＲＣ接続設定がなされた後に構成可能であり、追加の無線リソースを提供するために用いることができる。キャリア併合環境で設定されたサービングセルにおいてＰセル以外のセル、すなわち、ＳセルにはＰＵＣＣＨが存在しない。
【０１８２】
Ｅ−ＵＴＲＡＮは、Ｓセルをキャリア併合環境を支援する端末に追加する時、ＲＲＣ＿ＣＯＮＮＥＣＴＥＤ状態にある関連したセルの動作に関する全てのシステム情報を特定シグナル（ｄｅｄｉｃａｔｅｄ  ｓｉｇｎａｌ）を用いて提供することができる。システム情報の変更は、関連したＳセルの解除及び追加によって制御することができ、このとき、上位層のＲＲＣ接続再設定（ＲＲＣＣｏｎｎｅｃｔｉｏｎＲｅｃｏｎｆｉｇｕｔａｉｏｎ）メッセージを用いることができる。Ｅ−ＵＴＲＡＮは、関連したＳセル内でブロードキャストするよりは、端末別に異なるパラメータを有する特定シグナリング（ｄｅｄｉｃａｔｅｄ  ｓｉｇｎａｌｉｎｇ）をすればよい。
【０１８３】
初期保安活性化過程が始まった後に、Ｅ−ＵＴＲＡＮは、接続設定過程で初期に構成されるＰセルに加えて一つ以上のＳセルを含むネットワークを構成することができる。キャリア併合環境でＰセル及びＳセルはそれぞれのコンポーネントキャリアとして動作することができる。以下の実施例では、プライマリコンポーネントキャリア（ＰＣＣ）はＰセルと同じ意味で使われ、セカンダリコンポーネントキャリア（ＳＣＣ）はＳセルと同じ意味で使われてもよい。
【０１８４】
図１３は、コンポーネントキャリア（ＣＣ）、及びＬＴＥ＿Ａシステムで用いられるキャリア併合の一例を示す図である。
【０１８５】
図１３（ａ）は、ＬＴＥシステムで用いられる単一キャリア構造を示す。コンポーネントキャリアにはＤＬ  ＣＣとＵＬ  ＣＣがある。一つのコンポーネントキャリアは２０ＭＨｚの周波数範囲を有することができる。
【０１８６】
図１３（ｂ）は、ＬＴＥ＿Ａシステムで用いられるキャリア併合構造を示す。図１３（ｂ）では、２０ＭＨｚの周波数サイズを有する３個のコンポーネントキャリアが結合された場合を示している。ＤＬ  ＣＣとＵＬ  ＣＣがそれぞれ３個ずつあるが、ＤＬ  ＣＣとＵＬ  ＣＣの個数に制限があるわけではない。キャリア併合の場合、端末は３個のＣＣを同時にモニタすることができ、下りリンク信号／データを受信することができ、上りリンク信号／データを送信することができる。
【０１８７】
仮に、特定セルでＮ個のＤＬ  ＣＣが管理される場合には、ネットワークは、端末にＭ（Ｍ≦Ｎ）個のＤＬ  ＣＣを割り当てることができる。この時、端末はＭ個の制限されたＤＬ  ＣＣのみをモニタしてＤＬ信号を受信することができる。また、ネットワークはＬ（Ｌ≦Ｍ≦Ｎ）個のＤＬ  ＣＣに優先順位を与えて主なＤＬ  ＣＣを端末に割り当てることもでき、この場合、ＵＥは、Ｌ個のＤＬ  ＣＣは必ずモニタしなければならない。この方式は上りリンク送信にも同一に適用されてもよい。
【０１８８】
下りリンクリソースの搬送波周波数（又はＤＬ  ＣＣ）と上りリンクリソースの搬送波周波数（又は、ＵＬ  ＣＣ）とのリンケージ（ｌｉｎｋａｇｅ）は、ＲＲＣメッセージのような上位層メッセージやシステム情報で示すことができる。例えば、ＳＩＢ２（Ｓｙｓｔｅｍ  Ｉｎｆｏｒｍａｔｉｏｎ  Ｂｌｏｃｋ  Ｔｙｐｅ２）によって定義されるリンケージによってＤＬリソースとＵＬリソースとの組合せを構成することができる。具体的に、リンケージは、ＵＬグラントを運ぶＰＤＣＣＨが送信されるＤＬ  ＣＣと該ＵＬグラントを用いるＵＬ  ＣＣとのマッピング関係を意味することができ、ＨＡＲＱのためのデータが送信されるＤＬ  ＣＣ（又はＵＬ  ＣＣ）とＨＡＲＱ  ＡＣＫ／ＮＡＣＫ信号が送信されるＵＬ  ＣＣ（又はＤＬ  ＣＣ）とのマッピング関係を意味することもできる。
【０１８９】
３．２  クロスキャリアスケジューリング（Ｃｒｏｓｓ  Ｃａｒｒｉｅｒ  Ｓｃｈｅｄｕｌｉｎｇ）
【０１９０】
キャリア併合システムには、キャリア（又は搬送波）又はサービングセル（Ｓｅｒｖｉｎｇ  Ｃｅｌｌ）に対するスケジューリング観点で、自己スケジューリング（Ｓｅｌｆ−Ｓｃｈｅｄｕｌｉｎｇ）方法及びクロスキャリアスケジューリング（Ｃｒｏｓｓ  Ｃａｒｒｉｅｒ  Ｓｃｈｅｄｕｌｉｎｇ）方法がある。クロスキャリアスケジューリングは、クロスコンポーネントキャリアスケジューリング（Ｃｒｏｓｓ  Ｃｏｍｐｏｎｅｎｔ  Ｃａｒｒｉｅｒ  Ｓｃｈｅｄｕｌｉｎｇ）又はクロスセルスケジューリング（Ｃｒｏｓｓ  Ｃｅｌｌ  Ｓｃｈｅｄｕｌｉｎｇ）と呼ぶこともできる。
【０１９１】
自己スケジューリングは、ＰＤＣＣＨ（ＤＬグラント）とＰＤＳＣＨが同一ＤＬ  ＣＣで送信されたり、又はＤＬ  ＣＣで送信されたＰＤＣＣＨ（ＵＬグラント）によって送信されるＰＵＳＣＨが、ＵＬグラントを受信したＤＬ  ＣＣとリンクされているＵＬ  ＣＣで送信されることを意味する。
【０１９２】
クロスキャリアスケジューリングは、ＰＤＣＣＨ（ＤＬグラント）とＰＤＳＣＨがそれぞれ異なるＤＬ  ＣＣで送信されたり、又はＤＬ  ＣＣで送信されたＰＤＣＣＨ（ＵＬグラント）によって送信されるＰＵＳＣＨが、ＵＬグラントを受信したＤＬ  ＣＣとリンクされているＵＬ  ＣＣ以外のＵＬ  ＣＣで送信されることを意味する。
【０１９３】
クロスキャリアスケジューリングは、端末特定（ＵＥ−ｓｐｅｃｉｆｉｃ）に活性化又は非活性化することができ、上位層シグナリング（例えば、ＲＲＣシグナリング）を用いて半静的（ｓｅｍｉ−ｓｔａｔｉｃ）に各端末に対して知らせることができる。
【０１９４】
クロスキャリアスケジューリングが活性化された場合、ＰＤＣＣＨには、該ＰＤＣＣＨが示すＰＤＳＣＨ／ＰＵＳＣＨがどのＤＬ／ＵＬ  ＣＣで送信されるのかを知らせるキャリア指示子フィールド（ＣＩＦ：Ｃａｒｒｉｅｒ  Ｉｎｄｉｃａｔｏｒ  Ｆｉｅｌｄ）が必要である。例えば、ＰＤＣＣＨは、ＰＤＳＣＨリソース又はＰＵＳＣＨリソースをＣＩＦを用いて複数のコンポーネントキャリアのうちの一つに割り当てることができる。すなわち、ＤＬ  ＣＣ上のＰＤＣＣＨが多重集成されたＤＬ／ＵＬ  ＣＣのうちの一つにＰＤＳＣＨ又はＰＵＳＣＨリソースを割り当てる場合にＣＩＦが設定される。この場合、ＬＴＥ  Ｒｅｌｅａｓｅ−８のＤＣＩフォーマットはＣＩＦによって拡張されてもよい。このとき、設定されたＣＩＦは、３ビットフィールドに固定されてもよく、設定されたＣＩＦの位置はＤＣＩフォーマットサイズに関係なく固定されてもよい。また、ＬＴＥ  Ｒｅｌｅａｓｅ−８のＰＤＣＣＨ構造（同一のコーディング及び同一のＣＣＥベースのリソースマッピング）を再使用してもよい。
【０１９５】
一方、ＤＬ  ＣＣ上のＰＤＣＣＨが同ＤＬ  ＣＣ上のＰＤＳＣＨリソースを割り当てたり、単一リンクされたＵＬ  ＣＣ上のＰＵＳＣＨリソースを割り当てる場合には、ＣＩＦが設定されない。この場合、ＬＴＥ  Ｒｅｌｅａｓｅ−８と同じＰＤＣＣＨ構造（同一のコーディング及び同一のＣＣＥベースのリソースマッピング）とＤＣＩフォーマットが用いられてもよい。
【０１９６】
クロスキャリアスケジューリングが可能な場合、端末はＣＣ別送信モード及び／又は帯域幅によってモニタリングＣＣの制御領域で複数のＤＣＩに対するＰＤＣＣＨをモニタする必要がある。このため、これを支援できる検索空間の構成とＰＤＣＣＨモニタリングが必要である。
【０１９７】
キャリア併合システムにおいて、端末ＤＬ  ＣＣ集合は、端末がＰＤＳＣＨを受信するようにスケジュールされたＤＬ  ＣＣの集合を指し、端末ＵＬ  ＣＣ集合は、端末がＰＵＳＣＨを送信するようにスケジュールされたＵＬ  ＣＣの集合を指す。また、ＰＤＣＣＨモニタリング集合（ｍｏｎｉｔｏｒｉｎｇ  ｓｅｔ）は、ＰＤＣＣＨモニタリングを行う少なくとも一つのＤＬ  ＣＣの集合を意味する。ＰＤＣＣＨモニタリング集合は、端末ＤＬ  ＣＣ集合と同一であってもよく、端末ＤＬ  ＣＣ集合の副集合（ｓｕｂｓｅｔ）であってもよい。ＰＤＣＣＨモニタリング集合は、端末ＤＬ  ＣＣ集合におけるＤＬ  ＣＣの少なくとも一つを含むことができる。又は、ＰＤＣＣＨモニタリング集合は、端末ＤＬ  ＣＣ集合とは別個に定義されてもよい。ＰＤＣＣＨモニタリング集合に含まれるＤＬ  ＣＣは、リンクされたＵＬ  ＣＣに対する自己スケジューリング（ｓｅｌｆ−ｓｃｈｅｄｕｌｉｎｇ）は常に可能なように設定することができる。このような、端末ＤＬ  ＣＣ集合、端末ＵＬ  ＣＣ集合及びＰＤＣＣＨモニタリング集合は、端末特定（ＵＥ−ｓｐｅｃｉｆｉｃ）、端末グループ特定（ＵＥ  ｇｒｏｕｐ−ｓｐｅｃｉｆｉｃ）又はセル特定（Ｃｅｌｌ−ｓｐｅｃｉｆｉｃ）に設定することができる。
【０１９８】
クロスキャリアスケジューリングが非活性化された場合には、ＰＤＣＣＨモニタリング集合が常に端末ＤＬ  ＣＣ集合と同一であるということを意味し、このような場合にはＰＤＣＣＨモニタリング集合に対する別のシグナリングのような指示が必要でない。しかし、クロスキャリアスケジューリングが活性化された場合には、ＰＤＣＣＨモニタリング集合が端末ＤＬ  ＣＣ集合内で定義されることが好ましい。すなわち、端末に対してＰＤＳＣＨ又はＰＵＳＣＨをスケジュールするために、基地局はＰＤＣＣＨモニタリング集合のみを通じてＰＤＣＣＨを送信する。
【０１９９】
図１４は、本発明の実施例で用いられるクロスキャリアスケジューリングによるＬＴＥ−Ａシステムのサブフレーム構造を示す図である。
【０２００】
図１４を参照すると、ＬＴＥ−Ａ端末のためのＤＬサブフレームは、３個の下りリンクコンポーネントキャリア（ＤＬ  ＣＣ）が結合されており、ＤＬ  ＣＣ  「Ａ」はＰＤＣＣＨモニタリングＤＬ  ＣＣとして設定された場合を示す。ＣＩＦが使用されない場合、各ＤＬ  ＣＣはＣＩＦ無しで自身のＰＤＳＣＨをスケジュールするＰＤＣＣＨを送信することができる。一方、ＣＩＦが上位層シグナリングによって使用される場合には、一つのＤＬ  ＣＣ  「Ａ」のみがＣＩＦを用いて自身のＰＤＳＣＨ又は他のＣＣのＰＤＳＣＨをスケジュールするＰＤＣＣＨを送信することができる。この時、ＰＤＣＣＨモニタリングＤＬ  ＣＣとして設定されていないＤＬ  ＣＣ  「Ｂ」及び「Ｃ」はＰＤＣＣＨを送信しない。
【０２０１】
図１５は、本発明の実施例で用いられるクロスキャリアスケジューリングによるサービングセル構成の一例を示す図である。
【０２０２】
キャリア併合（ＣＡ）を支援する無線接続システムでは基地局及び／又は端末を一つ以上のサービングセルで構成することができる。図１５で、基地局は、Ａセル、Ｂセル、Ｃセル及びＤセルの総４個のサービングセルを支援することができ、端末ＡはＡセル、Ｂセル及びＣセルで構成され、端末ＢはＢセル、Ｃセル及びＤセルで構成され、端末ＣはＢセルで構成された場合を仮定する。ここで、各端末に構成されたセルのうちの少なくとも一つをＰセルとして設定することができる。この時、Ｐセルは常に活性化された状態であり、Ｓセルは基地局及び／又は端末によって活性化又は非活性化されてもよい。
【０２０３】
図１５で、構成されたセルは、基地局のセルのうち、端末からの測定報告（ｍｅａｓｕｒｅｍｅｎｔ  ｒｅｐｏｒｔ）メッセージに基づいてＣＡにセル追加が可能なセルであって、端末別に設定可能である。構成されたセルは、ＰＤＳＣＨ信号送信に対するＡＣＫ／ＮＡＣＫメッセージの送信のためのリソースをあらかじめ予約しておく。活性化されたセル（Ａｃｔｉｖａｔｅｄ  ｃｅｌｌ）は、構成されたセルのうち、実際にＰＤＳＣＨ信号及び／又はＰＵＳＣＨ信号を送信するように設定されたセルであり、ＣＳＩ報告及びＳＲＳ（Ｓｏｕｎｄｉｎｇ  Ｒｅｆｅｒｅｎｃｅ  Ｓｉｇｎａｌ）送信を行う。非活性化されたセル（Ｄｅ−Ａｃｔｉｖａｔｅｄ  ｃｅｌｌ）は、基地局の命令又はタイマー動作によってＰＤＳＣＨ／ＰＵＳＣＨ信号の送受信を行わないように構成されるセルであって、ＣＳＩ報告及びＳＲＳ送信も中断される。
【０２０４】
３．３  ＣＡ  ＰＵＣＣＨ（Ｃａｒｒｉｅｒ  Ａｇｇｒｅｇａｔｉｏｎ  Ｐｈｙｓｉｃａｌ  Ｕｐｌｉｎｋ  Ｃｏｎｔｒｏｌ  Ｃｈａｎｎｅｌ）
【０２０５】
キャリア併合を支援する無線通信システムにおいてＵＣＩ（例えば、多重ＡＣＫ／ＮＡＣＫビット）をフィードバックするためのＰＵＣＣＨフォーマットを定義することができる。以下、説明の便宜のために、このようなＰＵＣＣＨのフォーマットをＣＡ  ＰＵＣＣＨフォーマットと呼ぶ。
【０２０６】
図１６は、ＣＡ  ＰＵＣＣＨの信号処理過程を例示する図である。
【０２０７】
図１６を参照すると、チャネルコーディングブロック（ｃｈａｎｎｅｌ  ｃｏｄｉｎｇ  ｂｌｏｃｋ）は、情報ビットａ＿０，ａ＿１，…，ａ＿Ｍ−１（例、多重ＡＣＫ／ＮＡＣＫビット）をチャネルコードしてコーディングビット（ｅｎｃｏｄｅｄ  ｂｉｔ，ｃｏｄｅｄ  ｂｉｔ  ｏｒ  ｃｏｄｉｎｇ  ｂｉｔ）（又は、コードワード）ｂ＿０，ｂ＿１，…，ｂ＿Ｎ−１を生成する。Ｍは情報ビットのサイズを表し、Ｎはコーディングビットのサイズを表す。情報ビットは、上りリンク制御情報（ＵＣＩ）、例えば、複数の下りリンクコンポーネントキャリアで受信した複数のデータ（又はＰＤＳＣＨ）に対する多重ＡＣＫ／ＮＡＣＫを含む。ここで、情報ビットａ＿０，ａ＿１，…，ａ＿Ｍ−１は、情報ビットを構成するＵＣＩの種類／個数／サイズにかかわらずにジョイントコードされる。例えば、情報ビットが複数の下りリンクコンポーネントキャリアに対する多重ＡＣＫ／ＮＡＣＫを含む場合、チャネルコーディングは、下りリンクコンポーネントキャリア別、個別ＡＣＫ／ＮＡＣＫビット別に行われず、全体ビット情報を対象に行われ、これによって単一コードワードが生成される。チャネルコーディングはこれに制限されるものではないが、単純反復（ｒｅｐｅｔｉｔｉｏｎ）、単純コーディング（ｓｉｍｐｌｅｘ  ｃｏｄｉｎｇ）、ＲＭ（Ｒｅｅｄ  Ｍｕｌｌｅｒ）コーディング、パンクチャされたＲＭコーディング、ＴＢＣＣ（Ｔａｉｌ−ｂｉｔｉｎｇ  ｃｏｎｖｏｌｕｔｉｏｎａｌ  ｃｏｄｉｎｇ）、ＬＤＰＣ（ｌｏｗ−ｄｅｎｓｉｔｙ  ｐａｒｉｔｙ−ｃｈｅｃｋ）或いはターボ−コーディングを含む。図示してはいないが、コーディングビットは、変調次数とリソース量を考慮してレート−マッチ（ｒａｔｅ−ｍａｔｃｈｉｎｇ）されてもよい。レートマッチング機能は、チャネルコーディングブロックの一部として含まれてもよく、別個の機能ブロックで行われてもよい。
【０２０８】
変調器（ｍｏｄｕｌａｔｏｒ）は、コーディングビットｂ＿０，ｂ＿１，…，ｂ＿Ｎ−１を変調して変調シンボルｃ＿０，ｃ＿１，…，ｃ＿Ｌ−１を生成する。Ｌは変調シンボルのサイズを表す。変調は、送信信号のサイズと位相を変形することによって行われる。変調方法は、例えば、ｎ−ＰＳＫ（Ｐｈａｓｅ  Ｓｈｉｆｔ  Ｋｅｙｉｎｇ）、ｎ−ＱＡＭ（Ｑｕａｄｒａｔｕｒｅ  Ａｍｐｌｉｔｕｄｅ  Ｍｏｄｕｌａｔｉｏｎ）を含む（ｎは、２以上の整数）。具体的に、変調方法は、ＢＰＳＫ（Ｂｉｎａｒｙ  ＰＳＫ）、ＱＰＳＫ（Ｑｕａｄｒａｔｕｒｅ  ＰＳＫ）、８−ＰＳＫ、ＱＡＭ、１６−ＱＡＭ、６４−ＱＡＭなどを含むことができる。
【０２０９】
分周器（ｄｉｖｉｄｅｒ）は、変調シンボルｃ＿０，ｃ＿１，…，ｃ＿Ｌ−１を各スロットに分周する。変調シンボルを各スロットに分周する順序／パターン／方式は別に制限されない。例えば、分周器は、変調シンボルを前から順にそれぞれのスロットに分周することができる（ローカル型方式）。この場合、図示のように、変調シンボルｃ＿０，ｃ＿１，…，ｃ＿Ｌ／２−１はスロット０に、変調シンボルｃ＿Ｌ／２，ｃ＿Ｌ／２＋１，…，ｃ＿Ｌ−１はスロット１に分周することができる。また、変調シンボルは、それぞれのスロットに分周する時、インターリーブ（又はパーミュテート）されてもよい。例えば、偶数の変調シンボルはスロット０に分周され、奇数の変調シンボルはスロット１に分周されてもよい。変調過程と分周過程の順序を互いに変えてもよい。
【０２１０】
ＤＦＴプリコーダ（ｐｒｅｃｏｄｅｒ）は、単一搬送波波形（ｓｉｎｇｌｅ  ｃａｒｒｉｅｒ  ｗａｖｅｆｏｒｍ）を生成するために、それぞれのスロットに分周された変調シンボルに対してＤＦＴプリコーディング（例、１２−ポイントＤＦＴ）を行う。同面を参照すると、スロット０に分周された変調シンボルｃ＿０，ｃ＿１，…，ｃ＿Ｌ／２−１は、ＤＦＴシンボルｄ＿０，ｄ＿１，…，ｄ＿Ｌ／２−１にＤＦＴプリコードされ、スロット１に分周された変調シンボルｃ＿Ｌ／２，ｃ＿Ｌ／２＋１，…，ｃ＿Ｌ−１は、ＤＦＴシンボルｄ＿Ｌ／２，ｄ＿Ｌ／２＋１，…，ｄ＿Ｌ−１にＤＦＴプリコードされる。ＤＦＴプリコーディングは、相応する他の線形演算（ｌｉｎｅａｒ  ｏｐｅｒａｔｉｏｎ）（例、ウォルシュプリコーディング）に取り替えてもよい。
【０２１１】
拡散ブロック（ｓｐｒｅａｄｉｎｇ  ｂｌｏｃｋ）は、ＤＦＴの行われた信号をＳＣ−ＦＤＭＡシンボルレベルで（時間領域）拡散する。ＳＣ−ＦＤＭＡシンボルレベルの時間領域拡散は、拡散コード（或いは、拡散シーケンス）を用いて行われる。拡散コードは、準直交コードと直交コードを含む。準直交コードは、これに制限されるものではないが、ＰＮ（Ｐｓｅｕｄｏ  Ｎｏｉｓｅ）コードを含む。直交コードは、これに制限されるものではないが、ウォルシュコード、ＤＦＴコードを含む。直交コード（Ｏｒｔｈｏｇｏｎａｌ  Ｃｏｄｅ、ＯＣ）は、直交シーケンス（ｏｒｔｈｏｇｏｎａｌ  ｓｅｑｕｅｎｃｅ）、直交カバー（Ｏｒｔｈｏｇｏｎａｌ  Ｃｏｖｅｒ、ＯＣ）、直交カバーコード（Ｏｒｔｈｏｇｏｎａｌ  Ｃｏｖｅｒ  Ｃｏｄｅ、ＯＣＣ）と同じ意味で使われてもよい。本明細書は、説明の容易性のために、拡散コードの代表例として直交コードを取り上げて説明するが、これは例示であり、直交コードは準直交コードに取って代わってもよい。拡散コードサイズ（又は、拡散因子（ＳＦ：Ｓｐｒｅａｄｉｎｇ  Ｆａｃｔｏｒ））の最大値は、制御情報の送信に用いられるＳＣ−ＦＤＭＡシンボルの個数によって制限される。例えば、１スロットで５個のＳＣ−ＦＤＭＡシンボルが制御情報の送信に用いられる場合、スロット別に長さ５の（準）直交コード（ｗ０，ｗ１，ｗ２，ｗ３，ｗ４）を用いることができる。ＳＦは、制御情報の拡散度を意味し、端末の多重化次数（ｍｕｌｔｉｐｌｅｘｉｎｉｇ  ｏｒｄｅｒ）又はアンテナ多重化次数と関連してもよい。ＳＦは、１，２，３，４，５，…のようにシステムの要求条件によって可変してもよい。また、ＳＦは、基地局と端末との間にあらかじめ定義されていてもよく、ＤＣＩ或いはＲＲＣシグナリングによって端末に知らされてもよい。
【０２１２】
上記の過程を経て生成された信号は、ＰＲＢ内の副搬送波にマップされた後、ＩＦＦＴを経て時間領域信号に変換される。時間領域信号にはＣＰが付加され、生成されたＳＣ−ＦＤＭＡシンボルはＲＦ端から送信される。
【０２１３】
３．３．１  ＰＵＣＣＨを介したＣＳＩ（Ｃｈａｎｎｅｌ  Ｓｔａｔｅ  Ｉｎｆｏｒｍａｔｉｏｎ）フィードバック
【０２１４】
まず、３ＧＰＰ  ＬＴＥシステムでは、下りリンク受信主体（例えば、端末）が下りリンク送信主体（例えば、基地局）に接続している時に、下りリンクで送信される参照信号の受信強度（ＲＳＲＰ：ｒｅｆｅｒｅｎｃｅ  ｓｉｇｎａｌ  ｒｅｃｅｉｖｅｄ  ｐｏｗｅｒ）、参照信号の品質（ＲＳＲＱ：ｒｅｆｅｒｅｎｃｅ  ｓｉｇｎａｌ  ｒｅｃｅｉｖｅｄ  ｑｕａｌｉｔｙ）などに対する測定を任意の時間に行い、測定結果を基地局に周期的（ｐｅｒｉｏｄｉｃ）に或いはイベントベース（ｅｖｅｎｔ  ｔｒｉｇｇｅｒｅｄ）に報告することができる。
【０２１５】
それぞれの端末は、下りリンクチャネル状況による下りリンクチャネル情報を上りリンクで報告し、基地局は、それぞれの端末から受信した下りリンクチャネル情報を用いて、それぞれの端末別にデータ送信のために適切な時間／周波数リソースと変調及びコーディング技法（ＭＣＳ：Ｍｏｄｕｌａｔｉｏｎ  ａｎｄ  Ｃｏｄｉｎｇ  Ｓｃｈｅｍｅ；ＭＣＳ）などを定めることができる。
【０２１６】
このようなチャネル状態情報（ＣＳＩ：Ｃｈａｎｎｅｌ  Ｓｔａｔｅ  Ｉｎｆｏｒｍａｔｉｏｎ）は、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｅｒ  Ｔｙｐｅ  Ｉｎｄｉｃａｔｉｏｎ）及び／又はＲＩ（Ｒａｎｋ  Ｉｎｄｉｃａｔｉｏｎ）で構成することができる。また、それぞれの端末の送信モードによって、ＣＳＩは全て送信されてもよく、一部のみ送信されてもよい。ＣＱＩは、端末の受信信号品質（ｒｅｃｅｉｖｅｄ  ｓｉｇｎａｌ  ｑｕａｌｉｔｙ）によって定められるが、これは一般に、下りリンク参照信号の測定に基づいて決定することができる。このとき、実際に基地局に伝達されるＣＱＩ値は、端末の測定した受信信号品質でブロックエラー率（ＢＬＥＲ：Ｂｌｏｃｋ  Ｅｒｒｏｒ  Ｒａｔｅ）を１０％以下に維持しながら最大の性能を奏するＭＣＳに該当する。
【０２１７】
また、このようなチャネル情報の報告方式は、周期的に送信される周期的報告（ｐｅｒｉｏｄｉｃ  ｒｅｐｏｒｔｉｎｇ）と、基地局の要求に応じて送信される非周期的報告（ａｐｅｒｉｏｄｉｃ  ｒｅｐｏｒｔｉｎｇ）とに区別される。
【０２１８】
非周期的報告の場合、基地局が端末に送信する上りリンクスケジューリング情報に含まれた１ビットの要求ビット（ＣＱＩ  ｒｅｑｕｅｓｔ  ｂｉｔ）によってそれぞれの端末に設定され、それぞれの端末は、この情報を受けると、自身の送信モードを考慮したチャネル情報をＰＵＳＣＨで基地局に伝達することができる。同じＰＵＳＣＨ上でＲＩ及びＣＱＩ／ＰＭＩが送信されないように設定することができる。
【０２１９】
周期的報告の場合、上位層信号を用いて、チャネル情報の送信される周期、及び当該周期におけるオフセット（ｏｆｆｓｅｔ）などをサブフレーム単位でそれぞれの端末にシグナルし、定められた周期にしたがって、それぞれの端末の送信モードを考慮したチャネル情報をＰＵＣＣＨで基地局に伝達することができる。定められた周期にしたがってチャネル情報が送信されるサブフレームに、上りリンクで送信されるデータが同時に存在する場合には、当該チャネル情報をＰＵＣＣＨではなくＰＵＳＣＨでデータと併せて送信することができる。ＰＵＣＣＨを用いる周期的報告の場合には、ＰＵＳＣＨに比べて制限されたビット（例えば、１１ビット）が用いられてもよい。同じＰＵＳＣＨ上でＲＩ及びＣＱＩ／ＰＭＩが送信されてもよい。
【０２２０】
周期的報告と非周期的報告とが同一のサブフレーム内で衝突する場合には、非周期的報告のみを行うことができる。
【０２２１】
広帯域（Ｗｉｄｅｂａｎｄ）ＣＱＩ／ＰＭＩの計算において、最も最近に送信されたＲＩを用いることができる。ＰＵＣＣＨ  ＣＳＩ報告モード（ｒｅｐｏｒｔｉｎｇ  ｍｏｄｅ）におけるＲＩは、ＰＵＳＣＨ  ＣＳＩ報告モードにおけるＲＩとは独立しており（ｉｎｄｅｐｅｎｄｅｎｔ）、ＰＵＳＣＨ  ＣＳＩ報告モードにおけるＲＩは、当該ＰＵＳＣＨ  ＣＳＩ報告モードにおけるＣＱＩ／ＰＭＩにのみ有効（ｖａｌｉｄ）である。
【０２２２】
表１６は、ＰＵＣＣＨで送信されるＣＳＩフィードバックタイプ及びＰＵＣＣＨ  ＣＳＩ報告モードを説明する表である。
【０２２３】
［表１６］
【表１６】
0006392369.tif 000053
【０２２４】
表１６を参照すると、チャネル状態情報の周期的報告（ｐｅｒｉｏｄｉｃ  ｒｅｐｏｒｔｉｎｇ）においてＣＱＩとＰＭＩフィードバックタイプによって、モード１−０、１−１、２−０及び２−１の４つの報告モード（ｒｅｐｏｒｔｉｎｇ  ｍｏｄｅ）に区別することができる。
【０２２５】
ＣＱＩフィードバックタイプによって広帯域ＣＱＩ（ＷＢ  ＣＱＩ：ｗｉｄｅｂａｎｄ  ＣＱＩ）とサブバンド（ＳＢ  ＣＱＩ：ｓｕｂｂａｎｄ  ＣＱＩ）とに分けられ、ＰＭＩ送信の有無によってＮｏ  ＰＭＩと単一（ｓｉｎｇｌｅ）ＰＭＩとに分けられる。表１６では、Ｎｏ  ＰＭＩが開−ループ（ＯＬ：ｏｐｅｎ−ｌｏｏｐ）、送信ダイバーシチ（ＴＤ：Ｔｒａｎｓｍｉｔ  Ｄｉｖｅｒｓｉｔｙ）及び単一−アンテナ（ｓｉｎｇｌｅ−ａｎｔｅｎｎａ）の場合に該当し、単一ＰＭＩは閉−ループ（ＣＬ：ｃｌｏｓｅｄ−ｌｏｏｐ）に該当する。
【０２２６】
モード１−０は、ＰＭＩ送信はなく、ＷＢ  ＣＱＩが送信される場合である。この場合、ＲＩは、開−ループ（ＯＬ）空間多重化（ＳＭ：Ｓｐａｔｉａｌ  Ｍｕｌｔｉｐｌｅｘｉｎｇ）の場合にのみ送信され、４ビットで表現される一つのＷＢ  ＣＱＩが送信される。ＲＩが１を超える場合には、第１コードワードに対するＣＱＩが送信されてもよい。
【０２２７】
モード１−１は、単一ＰＭＩ及びＷＢ  ＣＱＩが送信される場合である。この場合、ＲＩ送信と併せて、４ビットのＷＢ  ＣＱＩ及び４ビットのＷＢ  ＰＭＩが送信されてもよい。さらに、ＲＩが１超える場合には、３ビットのＷＢ空間差分ＣＱＩ（Ｗｉｄｅｂａｎｄ  Ｓｐａｔｉａｌ  Ｄｉｆｆｅｒｅｎｔｉａｌ  ＣＱＩ）が送信されてもよい。２コードワードの送信において、ＷＢ空間差分ＣＱＩは、コードワード１に対するＷＢ  ＣＱＩインデックスとコードワード２に対するＷＢ  ＣＱＩインデックスとの差値を表してもよい。これらの差値は、集合｛−４，−３，−２，−１，０，１，２，３｝のいずれか一つの値を有し、３ビットで表現されてもよい。
【０２２８】
モード２−０は、ＰＭＩ送信はなく、端末が選択した（ＵＥ  ｓｅｌｅｃｔｅｄ）帯域のＣＱＩが送信される場合である。この場合、ＲＩは、開−ループ空間多重化（ＯＬ  ＳＭ）の場合にのみ送信され、４ビットで表現されるＷＢ  ＣＱＩが送信されてもよい。また、それぞれの帯域幅部分（ＢＰ：Ｂａｎｄｗｉｄｔｈ  Ｐａｒｔ）で最適（Ｂｅｓｔ−１）のＣＱＩが送信され、Ｂｅｓｔ−１  ＣＱＩは４ビットで表現されてもよい。また、Ｂｅｓｔ−１を指示するＬビットの指示子（ｉｎｄｉｃａｔｏｒ）が併せて送信されてもよい。ＲＩが１を超える場合には、第１コードワードに対するＣＱＩが送信されてもよい。
【０２２９】
モード２−１は、単一ＰＭＩ及び端末が選択した（ＵＥ  ｓｅｌｅｃｔｅｄ）帯域のＣＱＩが送信される場合である。この場合、ＲＩ送信と併せて、４ビットのＷＢ  ＣＱＩ、３ビットのＷＢ空間差分ＣＱＩ及び４ビットのＷＢ  ＰＭＩが送信されてもよい。さらに、それぞれの帯域幅部分（ＢＰ）で４ビットのＢｅｓｔ−１  ＣＱＩが送信され、ＬビットのＢｅｓｔ−１指示子が併せて送信されてもよい。さらに、ＲＩが１超える場合には、３ビットのＢｅｓｔ−１空間差分ＣＱＩが送信されてもよい。これは、２コードワード送信において、コードワード１のＢｅｓｔ−１  ＣＱＩインデックスとコードワード２のＢｅｓｔ−１  ＣＱＩインデックスとの差値を表すことができる。
【０２３０】
各送信モード（ｔｒａｎｓｍｉｓｓｉｏｎ  ｍｏｄｅ）に対して次のように周期的なＰＵＣＣＨ  ＣＳＩ報告モードが支援される。
１）送信モード１：モード１−０及び２−０
２）送信モード２：モード１−０及び２−０
３）送信モード３：モード１−０及び２−０
４）送信モード４：モード１−１及び２−１
５）送信モード５：モード１−１及び２−１
６）送信モード６：モード１−１及び２−１
７）送信モード７：モード１−０及び２−０
８）送信モード８：端末がＰＭＩ／ＲＩ報告が設定される場合にはモード１−１及び２−１、端末がＰＭＩ／ＲＩ報告をしないように設定される場合にはモード１−０及び２−０
９）送信モード９：端末がＰＭＩ／ＲＩを報告するように設定され、ＣＳＩ−ＲＳポートの数＞１の場合にモード１−１及び２−１、端末がＰＭＩ／ＲＩ報告をしないように設定されたりＣＳＩ−ＲＳポートの数＝１の場合にモード１−０及び２−０
【０２３１】
各サービングセルで周期的なＰＵＣＣＨ  ＣＳＩ報告モードは、上位層シグナリングによって設定される。モード１−１は、「ＰＵＣＣＨ＿ｆｏｒｍａｔ１−１＿ＣＳＩ＿ｒｅｐｏｒｔｉｎｇ＿ｍｏｄｅ」パラメータを使用する上位層シグナリングによってサブモード（ｓｕｂｍｏｄｅ）１又はサブモード２のいずれか一つに設定される。
【０２３２】
端末の選択したＳＢ  ＣＱＩにおいて特定サービングセルの特定サブフレームで、ＣＱＩ報告は、サービングセルの帯域幅の一部分である帯域幅部分（ＢＰ：Ｂａｎｄｗｉｄｔｈ  Ｐａｒｔ）の一つ以上のチャネル状態の測定を意味する。帯域幅部分は、最も低い周波数から始まって周波数が増加する順に帯域幅サイズの増加無しでインデックスが与えられる。
【０２３３】
【数３７】
0006392369.tif 000054
は、サービングセルシステム帯域幅のリソースブロック（ＲＢ）の個数を示す。システム帯域幅は、Ｎ（１，２，３，…，Ｎ）個のＳＢ  ＣＱＩに分けることができる。一つのＳＢ  ＣＱＩは、下記の表１５で定義するｋ個のＲＢを含むことができる。全体帯域幅のＲＢの個数がｋの整数倍でない場合は（
【数３８】
0006392369.tif 000055
）、最後（Ｎ番目）のＳＢ  ＣＱＩを構成するＲＢの個数は式４によって決定することができる。
【０２３４】
［式４］
【数３９】
0006392369.tif 000056
【０２３５】
表１７は、サブバンドサイズ（ｋ）、帯域幅部分（ＢＰ）及び下りリンクシステム帯域幅（
【数４０】
0006392369.tif 000057
）の関係を示す。
【０２３６】
［表１７］
【表１７】
0006392369.tif 000058
【０２３７】
また、
【数４１】
0006392369.tif 000059
個のＣＱＩサブバンドは、一つのＢＰを構成し、システム帯域幅はＪ個のＢＰに分けることができる。Ｊ＝１である場合、
【数４２】
0006392369.tif 000060
は
【数４３】
0006392369.tif 000061
であり、Ｊ＞１である場合、
【数４４】
0006392369.tif 000062
は
【数４５】
0006392369.tif 000063
又は
【数４６】
0006392369.tif 000064
である。端末は、ＢＰのうち選好する最適の一つ（Ｂｅｓｔ―１）のＣＱＩサブバンドに対するＣＱＩインデックスを計算し、ＰＵＣＣＨを介してＣＱＩインデックスを送信することができる。このとき、一つのＢＰで選択されたＢｅｓｔ―１  ＣＱＩサブバンドがいずれのものであるのかを示すＢｅｓｔ―１指示子を共に送信することができる。Ｂｅｓｔ―１指示子は、Ｌビットで構成することができ、Ｌは式５の通りである。
【０２３８】
［数５］
【数４７】
0006392369.tif 000065
【０２３９】
前記のような方式で端末が選択した（ＵＥ  ｓｅｌｅｃｔｅｄ）ＣＱＩ報告モードにおいて、ＣＱＩインデックスが計算される周波数帯域を決定することができる。
【０２４０】
以下、ＣＱＩ送信周期に対して説明する。
【０２４１】
表１８は、各ＰＵＣＣＨ  ＣＳＩ報告モードのＣＱＩ及びＰＭＩペイロードサイズ（ｐａｙｌｏａｄ  ｓｉｚｅ）を示す。
【０２４２】
［表１８］
【表１８】
0006392369.tif 000066
【表１９】
0006392369.tif 000067
【０２４３】
表１８を参照すれば、ＰＵＣＣＨ  ＣＳＩ報告モードのために支援される各ＣＱＩ／ＰＭＩ及びＲＩ報告タイプは次の通りである。
【０２４４】
報告タイプ１は、端末が選択したサブバンドに対するＣＱＩフィードバックを支援する。
【０２４５】
報告タイプ１ａは、サブバンドＣＱＩと２番目のＰＭＩフィードバックを支援する。
【０２４６】
報告タイプ２、２ｂ、２ｃは、ＷＢ  ＣＱＩとＰＭＩフィードバックを支援する。
【０２４７】
報告タイプ２ａは、ＷＢ  ＰＭＩフィードバックを支援する。
【０２４８】
報告タイプ３は、ＲＩフィードバックを支援する。
【０２４９】
報告タイプ４は、ＷＢ  ＣＱＩを支援する。
【０２５０】
報告タイプ５は、ＲＩとＷＢ  ＰＭＩフィードバックを支援する。
【０２５１】
報告タイプ６は、ＲＩとＰＴＩフィードバックを支援する。
【０２５２】
端末は、チャネル情報の送信周期とオフセットの組み合わせからなる情報を上位層でＲＲＣシグナリングを通じて受け取ることができる。端末は、提供されたチャネル情報送信周期に対する情報に基づいてチャネル情報を基地局に送信することができる。各サービングセルにおいて、ＣＱＩ／ＰＭＩ報告のためのサブフレーム内での周期
【数４８】
0006392369.tif 000068
とサブフレーム内でのオフセット
【数４９】
0006392369.tif 000069
は、上位層シグナリングによって設定された「ｃｑｉ―ｐｍｉ―ＣｏｎｆｉｇＩｎｄｅｘ」（
【数５０】
0006392369.tif 000070
）パラメータに基づいて決定される（表１４及び表１５参照）。ＲＩ報告のための周期
【数５１】
0006392369.tif 000071
と関連するオフセット
【数５２】
0006392369.tif 000072
は、上位層シグナリングによって設定された「ｒｉ―ＣｏｎｆｉｇＩｎｄｅｘ」（
【数５３】
0006392369.tif 000073
）パラメータに基づいて決定される（表１６参照）。ＲＩ報告のためのオフセット
【数５４】
0006392369.tif 000074
は、
【数５５】
0006392369.tif 000075
値を有する。端末が一つのＣＳＩサブフレームセット以上を報告することに設定された場合、「ｃｑｉ―ｐｍｉ―ＣｏｎｆｉｇＩｎｄｅｘ」及び「ｒｉ―ＣｏｎｆｉｇＩｎｄｅｘ」は、それぞれサブフレームセット１に対するＣＱＩ／ＰＭＩ及びＲＩの周期とオフセットに対応し、「ｃｑｉ―ｐｍｉ―ＣｏｎｆｉｇＩｎｄｅｘ２」及び「ｒｉ―ＣｏｎｆｉｇＩｎｄｅｘ２」は、それぞれサブフレームセット２に対するＣＱＩ／ＰＭＩ及びＲＩの周期とオフセットに対応する。
【０２５３】
表１９は、ＦＤＤにおいて、
【数５６】
0006392369.tif 000076
パラメータの
【数５７】
0006392369.tif 000077
と
【数５８】
0006392369.tif 000078
とのマッピング関係を示す。
【０２５４】
［表１９］
【表２０】
0006392369.tif 000079
【０２５５】
表２０は、ＴＤＤにおいて、
【数５９】
0006392369.tif 000080
パラメータ
【数６０】
0006392369.tif 000081
と
【数６１】
0006392369.tif 000082
とのマッピング関係を示す。
【０２５６】
［表２０］
【表２１】
0006392369.tif 000083
【０２５７】
表２１は、ＴＤＤにおいて、
【数６２】
0006392369.tif 000084
パラメータの
【数６３】
0006392369.tif 000085
と
【数６４】
0006392369.tif 000086
とのマッピング関係を示す。
【０２５８】
［表２１］
【表２２】
0006392369.tif 000087
【０２５９】
３．３．１．１  ＷＢ  ＣＱＩ／ＰＭＩ報告
【０２６０】
ＷＢ  ＣＱＩ／ＰＭＩ報告のためのサブフレームは、下記の式６を満足する。
【０２６１】
［式６］
【数６５】
0006392369.tif 000088
【０２６２】
ＲＩ報告が設定された場合、ＲＩ報告の報告間隔は、サブフレーム内での周期
【数６６】
0006392369.tif 000089
の整数倍
【数６７】
0006392369.tif 000090
と同じである。ＲＩ報告のためのサブフレームは、下記の式７を満足する。
【０２６３】
［数７］
【数６８】
0006392369.tif 000091
【０２６４】
３．３．１．２  ＷＢ  ＣＱＩ／ＰＭＩ及びＳＢ  ＣＱＩ報告
【０２６５】
ＷＢ  ＣＱＩ／ＰＭＩとＳＢ  ＣＱＩ報告が全て設定された場合、ＷＢ  ＣＱＩ／ＰＭＩ及びＳＢ  ＣＱＩ報告のためのサブフレームは下記の式８を満足する。
【０２６６】
［数８］
【数６９】
0006392369.tif 000092
【０２６７】
ＰＴＩが送信されない場合又は最も最近に送信されたＰＴＩが１と同じであるとき、ＷＢ  ＣＱＩ／ＷＢ  ＰＭＩ（又は送信モード９におけるＷＢ  ＣＱＩ／ＷＢの２番目のＰＭＩ）報告は周期
【数７０】
0006392369.tif 000093
を有し、サブフレームは下記の式９を満足する。
【０２６８】
［数９］
【数７１】
0006392369.tif 000094
【０２６９】
ここで、
【数７２】
0006392369.tif 000095
は
【数７３】
0006392369.tif 000096
を満足し、
【数７４】
0006392369.tif 000097
はＢＰの数を示す。
【０２７０】
二つの連続的なＷＢ  ＣＱＩ／ＷＢ  ＰＭＩ（又は送信モード９におけるＷＢ  ＣＱＩ／ＷＢの２番目のＰＭＩ）報告間において、
【数７５】
0006392369.tif 000098
報告には、二つの連続的なＷＢ  ＣＱＩ／ＷＢ  ＰＭＩ間の間隔がシステムフレーム番号送信の０によって
【数７６】
0006392369.tif 000099
報告より小さいときを除いて、ＢＰの総サイクル（ｆｕｌｌ  ｃｙｃｌｅｓ）
【数７７】
0006392369.tif 000100
であるＳＢ  ＣＱＩ報告のためのシーケンスが使用される。この場合、端末は、二つのＷＢ  ＣＱＩ／ＷＢ  ＰＭＩ（又は送信モード９におけるＷＢ  ＣＱＩ／ＷＢの２番目のＰＭＩ）の２番目の前に送信していないＳＢ  ＣＱＩを報告しないこともある。各ＢＰの総サイクルは、０番目のＢＰから
【数７８】
0006392369.tif 000101
番目のＢＰまで増加する順序を有し、
【数７９】
0006392369.tif 000102
パラメータは上位層シグナリングによって設定することができる。
【０２７１】
その一方で、最も最近に送信されたＰＴＩが０と同じであるとき、１番目のＷＢ  ＰＭＩは周期
【数８０】
0006392369.tif 000103
を有し、サブフレームは下記の式１０を満足する。
【０２７２】
［数１０］
【数８１】
0006392369.tif 000104
【０２７３】
ここで、
【数８２】
0006392369.tif 000105
は上位層によってシグナルされる。
【０２７４】
二つの連続的な１番目のＷＢ  ＰＭＩ報告間で残った報告は、ＷＢ  ＣＱＩで２番目のＷＢ  ＰＭＩを使用することができる。
【０２７５】
ＲＩ報告が設定された場合、ＲＩの報告間隔はＷＢ  ＣＱＩ／ＰＭＩ周期
【数８３】
0006392369.tif 000106
の
【数８４】
0006392369.tif 000107
倍である。ＲＩは、ＷＢ  ＣＱＩ／ＰＭＩ及びＳＢ  ＣＱＩ報告と同一のＰＵＣＣＨ循環シフト（ｃｙｃｌｉｃ  ｓｈｉｆｔ）リソースを通じて報告され、ＲＩ報告のためのサブフレームは下記の式１１を満足する。
【０２７６】
［数１１］
【数８５】
0006392369.tif 000108
【０２７７】
一方、一つのサービングセルのＰＵＣＣＨフォーマット３、５又は６を有するＣＳＩ報告と同一のサービングセルのＰＵＣＣＨフォーマット１、１ａ、２、２ａ、２ｂ、２ｃ又は４を有するＣＳＩ報告の衝突が起こる場合、低い優先順位のＰＵＣＣＨフォーマット（１、１ａ、２、２ａ、２ｂ、２ｃ又は４）を有するＣＳＩ報告がドロップ（ｄｒｏｐ）される。
【０２７８】
端末に一つ以上のサービングセルが設定された場合、端末は、ただ一つのサービングセルのＣＳＩ報告を定められたサブフレームで送信する。定められたサブフレームで、一つのサービングセルのＰＵＣＣＨフォーマット３、５、６又は２ａを有するＣＳＩ報告と、他のサービングセルのＰＵＣＣＨフォーマット１、１ａ、２、２ｂ、２ｃ又は４を有するＣＳＩ報告との衝突が起こる場合、低い優先順位のＰＵＣＣＨフォーマット（１、１ａ、２、２ｂ、２ｃ又は４）を有するＣＳＩ報告はドロップされる。また、定められたサブフレームで、一つのサービングセルのＰＵＣＣＨフォーマット２、２ｂ、２ｃ又は４を有するＣＳＩ報告と、他のサービングセルのＰＵＣＣＨフォーマット１又は１ａを有するＣＳＩ報告との衝突が起こる場合、低い優先順位のＰＵＣＣＨフォーマット（１、１ａ）を有するＣＳＩ報告がドロップされる。
【０２７９】
定められたサブフレームで、同一の優先順位のＰＵＣＣＨフォーマットを有する互いに異なるサービングセルのＣＳＩ報告間に衝突が起こる場合、最も低い「ＳｅｒＣｅｌｌＩｎｄｅｘ」を有するサービングセルのＣＳＩが報告され、以外の全てのサービングセルのＣＳＩ報告はドロップされる。
【０２８０】
ＣＳＩとＨＡＲＱ―ＡＣＫ／ＮＡＣＫの衝突時、端末の動作と該当ＰＵＣＣＨフォーマット割り当ては次の通りである。
【０２８１】
定められたＰＵＣＣＨフォーマットのＣＳＩ報告は、ＰＵＣＣＨリソース
【数８６】
0006392369.tif 000109
を通じて送信することができる。ここで、
【数８７】
0006392369.tif 000110
は、端末特定（ＵＥ  ｓｐｅｃｉｆｉｃ）であり、各サービングセルに対して上位層によって設定される。同一のサブフレームでＣＳＩと能動的ＳＲとの間の衝突が起こる場合、ＣＳＩはドロップされる。
【０２８２】
ＴＤＤ周期的ＣＱＩ／ＰＭＩ報告で、ＴＤＤ上りリンク／下りリンク構成によって次のような周期値が適用される。
【０２８３】
報告周期
【数８８】
0006392369.tif 000111
は、ＴＤＤ上りリンク／下りリンク構成０、１、３、４、６にのみ適用される。ここで、無線フレームの全ての上りリンクサブフレームはＣＱＩ／ＰＭＩ報告に用いられる。
【０２８４】
報告周期
【数８９】
0006392369.tif 000112
は、ＴＤＤ上りリンク／下りリンク構成０、１、２、６にのみ適用される。
【０２８５】
報告周期
【数９０】
0006392369.tif 000113
は、全てのＴＤＤ上りリンク／下りリンク構成に適用することができる。
【０２８６】
【数９１】
0006392369.tif 000114
であるサービングセルで、全ての２―０及びモード２―１は支援されない。
【０２８７】
表２２は、ＰＵＣＣＨモード１―１サブモード（ｓｕｂｍｏｄｅ）２のサブサンプリング（ｓｕｂｓａｍｐｌｉｎｇ）コードブックを示す。ここで、
【数９２】
0006392369.tif 000115
は１番目のＰＭＩを示し、
【数９３】
0006392369.tif 000116
は２番目のＰＭＩを示す。
【０２８８】
［表２２］
【表２３】
0006392369.tif 000117
【０２８９】
表２３は、ＰＵＣＣＨモード１―１サブモード１で、ＲＩと
【数９４】
0006392369.tif 000118
とのジョイントエンコーディング（ｊｏｉｎｔ  ｅｎｃｏｄｉｎｇ）を示す。ここで、
【数９５】
0006392369.tif 000119
は１番目のＰＭＩを示す。
【０２９０】
［表２３］
【表２４】
0006392369.tif 000120
【０２９１】
表２４は、ＰＵＣＣＨモード２―１のサブサンプリングコードブックを示す。ここで、
【数９６】
0006392369.tif 000121
は、２番目のＰＭＩを示す。
【０２９２】
［表２４］
【表２５】
0006392369.tif 000122
【０２９３】
周期的な報告モードで、サービングセルに対するＲＩ報告は、周期的ＣＳＩ報告モードでサービングセルに対するＣＱＩ／ＰＭＩ報告のためにのみ有効（ｖａｌｉｄ）である。
【０２９４】
ＣＱＩ／ＰＭＩ計算は、最後に報告されたＲＩに条件的であるか（ｃｏｎｄｉｔｉｄｏｎｅｄ）、最後に報告されたＲＩがない場合、ビットマップパラメータ「ｃｏｄｅｂｏｏｋＳｕｂｓｅｔＲｅｓｔｒｉｃｔｉｏｎ」によって与えられた最も低い可能なＲＩに条件的に計算される。一つ以上のＣＳＩサブフレームセットのための報告が設定された場合、ＣＱＩ／ＰＭＩは、ＣＱＩ／ＰＭＩ報告と同一のサブフレームにリンクされた最後に報告されたＲＩに条件的に計算される。
【０２９５】
３．３．１．３  広帯域フィードバック（Ｗｉｄｅｂａｎｄ  ｆｅｅｄｂａｃｋ）
【０２９６】
１）モード１―０
【０２９７】
ＲＩが報告されるサブフレームを検討すると（送信モード３でのみ送信）、端末は、サブバンドセット（Ｓ）送信を仮定してＲＩを決定し、一つのＲＩを含む報告タイプ３を報告する。
【０２９８】
ＣＱＩが報告されるサブフレームを検討すると、端末は、サブバンドセット（Ｓ）を仮定して計算された一つのＷＢ  ＣＱＩ値を含む報告タイプ４を報告する。送信モード３で、ＣＱＩは、最後に報告された周期的ＲＩに条件的に計算される。他の送信モードで、ＣＱＩは、ランク１送信に条件的に計算される。
【０２９９】
２）モード１―１
【０３００】
ＲＩが報告されるサブフレームを検討すると（送信モード４、８、９でのみ送信）、端末は、サブバンドセット（Ｓ）送信を仮定してＲＩを決定し、一つのＲＩを含む報告タイプ３を報告する。
【０３０１】
ＲＩと１番目のＰＭＩが報告されるサブフレームを検討すると（送信モード９のサブモード１で、ＣＳＩ―ＲＳポートが設定された場合にのみ送信）、端末は、サブバンドセット（Ｓ）送信を仮定してＲＩを決定し、サブバンドセット（Ｓ）送信を仮定したコードブックサブセット（ｃｏｄｅｂｏｏｋ  ｓｕｂｓｅｔ）から選択された単一のプリコーディング行列（ｐｒｅｃｏｄｉｎｇ  ｍａｔｒｉｘ）に従ってジョイントエンコード（ｊｏｉｎｔ  ｅｎｃｏｄｉｎｇ）されたＲＩと１番目のＰＭＩを含む報告タイプ５を報告する。
【０３０２】
ＣＱＩ／ＰＭＩが報告されるサブフレームを検討すると、単一のプリコーディング行列は、サブバンドセット（Ｓ）送信を仮定したコードブックサブセットから選択され、端末は、タイプ２／２ｂ／２ｃを報告することができる。このとき、サブバンドセット（Ｓ）送信と全てのサブバンド内に単一のプリコーディング行列の使用を仮定して計算された単一のＷＢ  ＣＱＩ値を含む。また、送信モード４と８の場合、端末は、選択された単一の２番目のＰＭＩで構成された報告タイプ２を報告することができる。また、送信モード９のサブモード１の場合、端末は、選択された単一の１番目のＰＭＩで構成された報告タイプ２ｂを報告することができる。また、送信モード９のサブモード２である場合、端末は、単一の選択されたプリコーディング行列による１番目及び２番目のＰＭＩで構成された報告タイプ２ｃを報告することができる。また、ＲＩ＞１である場合、３ビットの空間的差を有するＷＢ  ＣＱＩを報告することができる。
【０３０３】
送信モード４、８及び９で、ＰＭＩとＣＱＩは、最後に報告された周期的ＲＩに条件的に計算される。他の送信モードの場合、ランク１送信に条件的に計算される。
【０３０４】
３．３．１．４  端末選択的サブバンドフィードバック（ＵＥ  Ｓｅｌｅｃｔｅｄ  ｓｕｂｂａｎｄ  ｆｅｅｄｂａｃｋ）
【０３０５】
１）モード２―０
【０３０６】
ＲＩが報告されるサブフレームを検討すると（送信モード３でのみ送信）、端末は、サブバンドセット（Ｓ）送信を仮定してＲＩを決定し、一つのＲＩを含む報告タイプ３を報告する。
【０３０７】
ＷＢ  ＣＱＩが報告されるサブフレームを検討すると、端末は、サブバンドセット（Ｓ）を仮定して計算された一つのＷＢ  ＣＱＩ値を含む報告タイプ４を報告する。ＲＩ＞１である場合、ＷＢ  ＣＱＩは、１番目のコードワードのチャネル品質を示す。送信モード３で、ＣＱＩは、最後に報告された周期的ＲＩに条件的に計算される。他の送信モードで、ＣＱＩは、ランク１送信に条件的に計算される。
【０３０８】
ＳＢ  ＣＱＩが報告されるサブフレームを検討すると、端末は、
【数９７】
0006392369.tif 000123
個のサブバンドセットで構成されたＪ個のＢＰのうち選好する最適の一つ（Ｂｅｓｔ―１）を選択し（表１５参照）、選好するサブバンド指示子（Ｌ）によって決定されたＢＰの選択されたサブバンド送信を反映する一つのＣＱＩ値を含む報告タイプ１を報告することができる。各ＢＰのための報告タイプ１は交互に報告することができる。ＲＩ＞１である場合、ＣＱＩは、１番目のコードワードのチャネル品質を示す。送信モード３で、選好するサブバンド選択とＣＱＩ値は、最後に報告された周期的ＲＩに条件的に計算される。他の送信モードで、ＣＱＩは、ランク１送信に条件的に計算される。
【０３０９】
２）モード２―１
【０３１０】
ＲＩが報告されるサブフレームを検討すると（送信モード４、８、９であり、設定されたＣＳＩ―ＲＳポートの数が２又は４である場合にのみ送信）、端末は、サブバンドセット（Ｓ）送信を仮定してＲＩを決定し、一つのＲＩを含む報告タイプ３を報告する。
【０３１１】
ＣＳＩ―ＲＳポートの数が８で、送信モード９でＲＩが報告されるサブフレームを検討すると、端末は、サブバンドセット（Ｓ）送信を仮定してＲＩを決定し、端末は、ＰＴＩ（Ｐｒｅｃｏｄｅｒ  Ｔｙｐｅ  Ｉｎｄｉｃａｔｉｏｎ）を決定し、一つのＲＩとＰＴＩを含む報告タイプ６を報告する。
【０３１２】
ＷＢ  ＣＱＩ／ＰＭＩが報告されるサブフレームを検討すると、単一のプリコーディング行列は、サブバンドセット（Ｓ）送信を仮定したコードブックサブセットから選択される。送信モード９を除いて、端末はタイプ２を報告することができる。このとき、サブバンドセット（Ｓ）送信と全てのサブバンド内における単一のプリコーディング行列の使用を仮定して計算された単一のＷＢ  ＣＱＩ値及び単一の選択されたＰＭＩを含む。また、ＲＩ＞１である場合、３ビットの空間的差を有するＷＢ  ＣＱＩを報告することができる。
【０３１３】
送信モード９である場合、端末は、ＰＴＩ＝０であると報告タイプ２ａを報告することができ、ＰＴＩ＝１であるか、ＣＳＩ―ＲＳポートの数が２又は４に設定された場合、報告タイプ２ｂを報告することができる。このとき、ＰＴＩ＝０である場合、単一の選択されたプリコーディング行列に従う１番目のＰＭＩを含む。その一方で、ＰＴＩ＝１である場合、サブバンドセット（Ｓ）送信と全てのサブバンド内における単一のプリコーディング行列の使用を仮定して計算された単一のＷＢ  ＣＱＩ値及び単一の選択されたプリコーディング行列に従う２番目のＰＭＩを含む。また、ＰＴＩ＝１である場合、ＲＩ＞１であると、３ビットの空間的差を有するＷＢ  ＣＱＩを報告することができる。
【０３１４】
送信モード４、８及び９で、ＰＭＩとＣＱＩは、最後に報告された周期的ＲＩに条件的に計算される。他の送信モードの場合、ランク１送信に条件的に計算される。
【０３１５】
端末が選択したＳＢ  ＣＱＩが報告されるサブフレームを検討すると、端末は、
【数９８】
0006392369.tif 000124
個のサブバンドセットで構成されたＪ個のＢＰのうち選好する最適の一つ（Ｂｅｓｔ―１）を選択し（表２０参照）、ＣＳＩ―ＲＳポートの数が８に設定された送信モード９を除いて、端末は、選好するサブバンド指示子（Ｌ）によって決定されたＢＰの選択されたサブバンド送信を反映するコードワード０に対するＣＱＩ値を含む報告タイプ１を報告することができる。ＲＩ＞１である場合、コードワード１のオフセットレベルに対する追加的な３ビットの空間的差を有するＳＢ  ＣＱＩを報告することができる。このとき、コードワード１のオフセットレベルは、コードワード０のためのＳＢ  ＣＱＩインデックスとコードワード１のためのＳＢ  ＣＱＩインデックスとの差を示し、サブバンドセット（Ｓ）送信と全てのサブバンド内における単一のプリコーディング行列の使用を仮定してＳＢ  ＣＱＩを計算することができる。
【０３１６】
ＣＳＩ―ＲＳポートの数が８に設定された送信モード９の場合、ＰＴＩ＝０であると、端末は報告タイプ２ｂを報告することができる。このとき、サブバンドセット（Ｓ）送信と全てのサブバンド内における単一のプリコーディング行列の使用を仮定して計算されたＷＢ  ＣＱＩ値とサブバンドセット（Ｓ）送信を仮定し、コードブックサブセットから選択された選好するプリコーディング行列の２番目のＰＭＩを含む。ＲＩ＞１である場合、コードワード１のオフセットレベルに対する追加的な３ビットの空間的差を有するＳＢ  ＣＱＩを報告することができる。このとき、コードワード１のオフセットレベルは、コードワード０のためのＳＢ  ＣＱＩインデックスとコードワード１のためのＳＢ  ＣＱＩインデックスとの差を示し、サブバンドセット（Ｓ）送信と全てのサブバンド内における単一のプリコーディング行列の使用を仮定してＳＢ  ＣＱＩを計算することができる。
【０３１７】
送信モード９でＰＴＩ＝１である場合、端末は、ＢＰ当たりの報告タイプ１ａを報告することができる。このとき、選好するサブバンド指示子（Ｌ）によって決定されたＢＰの選択されたサブバンド送信を反映するコードワード０に対するＣＱＩ値を含む。また、決定された選好するサブバンド指示子（Ｌ）によって決定されたＢＰの選択されたサブバンド送信を仮定して、コードブックサブセットから選択された選好するプリコーディング行列の２番目のＰＭＩを含む。ＲＩ＞１である場合、コードワード１のオフセットレベルに対する追加的な３ビットの空間的差を有するＳＢ  ＣＱＩを報告することができる。このとき、コードワード１のオフセットレベルは、コードワード０のためのＳＢ  ＣＱＩインデックスとコードワード１のためのＳＢ  ＣＱＩインデックスとの差を示し、サブバンドセット（Ｓ）送信と全てのサブバンド内における単一のプリコーディング行列の使用を仮定してＳＢ  ＣＱＩを計算することができる。
【０３１８】
送信モード４、８及び９で、サブバンド選択とＣＱＩは、最後に報告された周期的ＷＢ  ＰＭＩとＲＩに条件的に計算される。他の送信モードの場合、最後に報告されたＰＭＩとランク１送信に条件的に計算される。
【０３１９】
一方、上位層によって提供される「ｔｔｉＢｕｎｄｌｉｎｇ」パラメータが「ＴＲＵＥ」に設定され、サブフレームバンドリング（ｂｕｎｄｌｉｎｇ）動作中にＵＬ―ＳＣＨが周期的ＣＳＩ報告と衝突する場合、端末は、該当サブフレームで定められたＰＵＣＣＨフォーマットの周期的ＣＳＩ報告をドロップすることができる。そして、該当サブフレームでＰＵＳＣＨ送信と周期的ＣＳＩ報告ペイロードを多重化しないこともある。
【０３２０】
４．２５６ＱＡＭ支援のためのＣＳＩフィードバック方法
【０３２１】
４．１  制限されたＣＳＩ測定
【０３２２】
無線ネットワークでセル間に及ぼす干渉による影響を減少させるために、ネットワーク個体間で協力動作を行うことができる。例えば、セルＡがデータを送信する特定サブフレームの間、セルＡ以外の他のセルは共用制御情報のみを送信し、データは送信しないように制限することによって、セルＡでデータを受信しているユーザに対する干渉を最小化することができる。
【０３２３】
このような方法で、ネットワーク内におけるセル間の協力を通じて特定瞬間にデータを送信するセルを除いた他のセルで最小限の共用制御情報のみを送信することによって、セル間に及ぼす干渉の影響を減少させることができる。
【０３２４】
このために、上位層で二つのＣＳＩ測定サブフレーム集合ＣＣＳＩ，０及びＣＣＳＩ，１を設定する場合、端末は、リソース制限測定（ＲＲＭ：Ｒｅｓｏｕｒｃｅ―Ｒｅｓｔｒｉｃｔｅｄ  Ｍｅａｓｕｒｅｍｅｎｔ）動作を行うことができる。このとき、二つの測定サブフレーム集合に該当するＣＳＩ参照リソースは、二つのサブフレーム集合のうちの一つにのみ属すると仮定する。
【０３２５】
次の表２５は、ＣＳＩサブフレーム集合（Ｓｕｂｆｒａｍｅ  Ｓｅｔ）を設定する上位層信号の一例を示す。
【０３２６】
［表２５］
【表２６】
0006392369.tif 000125
【０３２７】
表１４は、ＣＳＩサブフレーム集合を設定するために送信されるＣＱＩ報告構成（ＣＱＩ―Ｒｅｐｏｒｔ  Ｃｏｆｉｇ）メッセージの一例を示す。このとき、ＣＱＩ報告構成メッセージには、非周期的ＣＱＩ報告（ｃｑｉ―ＲｅｐｏｒｔＡｐｅｒｉｏｄｉｃ―ｒ１０）ＩＥ、ｎｏｍＰＤＳＣＨ―ＲＳ―ＥＰＲＥ―Ｏｆｆｓｅｔ  ＩＥ、周期的ＣＱＩ報告（ｃｑｉ―ＲｅｐｏｒｔＰｅｒｉｏｄｃｉ―ｒ１０）ＩＥ、ＰＭＩ―ＲＩレポート（ｐｍｉ―ＲＩ―Ｒｅｐｏｒｔ―ｒ９）ＩＥ及びＣＳＩサブフレームパターン構成（ｃｓｉ―ｓｕｂｆｒａｍｅＰａｔｔｅｒｎＣｏｎｆｉｇ）ＩＥを含ませることができる。このとき、ＣＳＩサブフレームパターン構成ＩＥは、サブフレーム集合別に測定サブフレームパターンを示すＣＳＩ測定サブフレーム集合１情報（ｃｓｉ―ＭｅａｓＳｕｂｆｒａｍｅＳｅｔ１）ＩＥ及びＣＳＩ測定サブフレーム集合２情報（ｃｓｉ―ＭｅａｓＳｕｂｆｒａｍｅＳｅｔ２）ＩＥを含む。
【０３２８】
ここで、ＣＳＩ測定サブフレーム集合１（ｃｓｉ―ＭｅａｓＳｕｂｆｒａｍｅＳｅｔ１―ｒ１０）情報要素（ＩＥ：Ｉｎｆｏｒｍａｔｉｏｎ  Ｅｌｅｍｅｎｔ）及びＣＳＩ測定サブフレーム集合２（ｃｓｉ―ＭｅａｓＳｕｂｆｒａｍｅＳｅｔ２―ｒ１０）ＩＥは、４０ビットのビットマップ情報であって、各サブフレーム集合に属するサブフレームに対する情報を示す。また、非周期的ＣＱＩ報告（ＣＱＩ―ＲｅｐｏｒｔＡｐｅｒｉｏｄｉｃ―ｒ１０）ＩＥは、端末に対する非周期的ＣＱＩ報告のための設定を行うためのＩＥで、周期的ＣＱＩ報告（ＣＱＩ―ＲｅｐｏｒｔＰｅｒｉｏｄｉｃ―ｒ１０）ＩＥは、周期的ＣＱＩ報告のための設定を行うＩＥである。
【０３２９】
ｎｏｍＰＤＳＣＨ―ＲＳ―ＥＰＲＥ―Ｏｆｆｓｅｔ  ＩＥは、
【数９９】
0006392369.tif 000126
値を示す。このとき、実際の値（Ａｃｔｕａｌ  Ｖａｌｕｅ）は、
【数１００】
0006392369.tif 000127
値＊２［ｄＢ］に設定される。また、ＰＭＩ―ＲＩレポートＩＥは、ＰＭＩ／ＩＲ報告が構成されたり構成されないことを示す。ＥＵＴＲＡＮは、送信モードがＴＭ８、９又は１０に設定された場合にのみＰＭＩ―ＲＩレポートＩＥを構成する。
【０３３０】
４．２  ２５６ＱＡＭ支援のためのＣＱＩテーブル定義
【０３３１】
以下では、無線接続システムで２５６ＱＡＭを支援する場合に行われるＣＳＩフィードバック方法に対して詳細に説明する。
【０３３２】
次の表２６は、ＬＴＥ／ＬＴＥ―Ａシステムで使用されるＣＱＩフィードバックテーブルの一例である。
【０３３３】
［表２６］
【表２７】
0006392369.tif 000128
【０３３４】
表２６において、ＣＱＩインデックスの状態は、合計１６個として４ビットのサイズで定義することができる。このとき、ＣＱＩインデックスは、該当する変調次数（ｍｏｄｕｌａｔｉｏｎ  ｏｒｄｅｒ）及びコードレート（ｃｏｄｅ  ｒａｔｅ）にマップされる。表２６は、現在のＬＴＥ／ＬＴＥ―Ａシステムで使用されるＣＱＩフィードバックテーブルであって、ＱＰＳＫ、１６ＱＡＭ及び６４ＱＡＭまでの変調方式を支援する。以下、本発明の実施例では、表２６に示したレガシー変調方式を支援するためのＣＱＩフィードバックテーブルを第１ＣＱＩテーブル又はレガシーテーブルと定義する。
【０３３５】
ＬＴＥ―Ａシステム以後に設計されている無線接続システムは、下りリンクデータ送信率を向上させるために２５６ＱＡＭ以上の高次変調方式の導入を考慮する。下りリンクデータに対して２５６ＱＡＭを支援するためには、既存の変調方式と共にリンク適応（ｌｉｎｋ  ａｄａｐｔａｔｉｏｎ）方式を考慮しなければならない。
【０３３６】
表２６に示すように、ＬＴＥ／ＬＴＥ―Ａシステムで使用されるＣＱＩフィードバックのためには４ビットで構成されたＣＱＩフィードバックテーブルを用いる。このとき、ＭＩＭＯを支援する場合は、１番目のコードワード（ＣＷ：ＣｏｄｅＷｏｒｄ）に対しては４ビットのＣＱＩフィードバックテーブルを用い、２番目のコードワードに対しては１番目のＣＷに対するＣＱＩフィードバック値の差分値を３ビットと表現して送信する。
【０３３７】
例えば、表１８に示したように、ＰＵＣＣＨで送信されるＣＳＩフィードバックの場合、該当報告タイプのペイロードはＰＵＣＣＨフォーマット２／２ａ／２ｂ、ＰＵＣＣＨフォーマット３を用いて送信される。但し、ＰＵＣＣＨフォーマット２／２ａ／２ｂ及びＰＵＣＣＨフォーマット３の場合、リードマラーコーディング（Ｒｅｅｄ―Ｍｕｌｌｅｒ  ｃｏｄｉｎｇ）ベースのブロックコーディングを行う。よって、入力ペイロード（ｉｎｐｕｔ  ｐａｙｌｏａｄ）のサイズに制限がある。例えば、ＰＵＣＣＨフォーマット２／２ａ／２ｂの場合は、１３ビット以下のペイロードサイズまで支援され、ＰＵＣＣＨフォーマット３の場合は、２２ビット以下の入力ペイロードを仮定する。
【０３３８】
このような状況を考慮して、以下では、本発明の実施例で提供する２５６ＱＡＭ支援のためのＣＱＩフィードバック方法に対して説明する。
【０３３９】
４．２．１  ２５６ＱＡＭ支援のための第２ＣＱＩフィードバックテーブル定義―１
【０３４０】
本発明の実施例では、２５６ＱＡＭ支援のためのＣＱＩフィードバックテーブルを新たに定義する。２５６ＱＡＭ支援のためのＣＱＩフィードバックテーブルは、第２ＣＱＩフィードバックテーブル又はニューテーブルと称することができる。以下では、第２ＣＱＩフィードバックテーブルを定義するために、既存のＣＱＩフィードバックテーブルのサイズを増加させることなく、既存の一部のＣＱＩインデックスのうちの一部を用いて２５６ＱＡＭ変調方式に対して説明する。
【０３４１】
次に、表２７及び表２８は、第２ＣＱＩフィードバックテーブルの構成例を示す。
【０３４２】
［表２７］
【表２８】
0006392369.tif 000129
【０３４３】
［表２８］
【表２９】
0006392369.tif 000130
【０３４４】
既存のＣＱＩフィードバックテーブルのサイズを増加させない場合は、既に具現されたＣＳＩフィードバック動作を再使用することができる。すなわち、レガシーシステムとの互換性が維持されるという長所がある。
【０３４５】
第１ＣＱＩフィードバックテーブルである表２６は、スペクトル効率によってＣＱＩインデックスが増加する形態で構成されているので、２５６ＱＡＭのために借用するＣＱＩインデックスは、６４ＱＡＭで使用していたＣＱＩインデックス１０〜１５で借用することが好ましい。また、６４ＱＡＭと２５６ＱＡＭの変調方式が変わるスイッチングポイント（ｓｗｉｔｃｈｉｎｇ  ｐｏｉｎｔ）は、有効コードレート（ｅｆｆｅｃｔｉｖｅ  ｃｏｄｉｎｇ  ｒａｔｅ）０．６〜０．６５に該当することが好ましいので、ＣＱＩインデックス１３〜１５（表２７参照）又はＣＱＩインデックス１２〜１５（表２８参照）を２５６ＱＡＭ変調方式のためのＣＱＩインデックスとして使用することができる。
【０３４６】
勿論、他の方法で、６４ＱＡＭ以外の変調方式で使用していたＣＱＩインデックスを２５６ＱＡＭ変調方式を支援するために借用することができる。
【０３４７】
例えば、次の表２９は、２５６ＱＡＭを支援するＣＱＩテーブルの他の一例であって、既存の範囲外（ｏｕｔ  ｏｆ  ｒａｎｇｅ）に該当するＣＱＩインデックス（ｉ．ｅ．，ＣＱＩインデックス０）を除いた最も低い３個のＣＱＩインデックスを除去した後、２５６ＱＡＭ  ＣＱＩインデックスを追加したＣＱＩテーブルの一例である。
【０３４８】
［表２９］
【表３０】
0006392369.tif 000131
【０３４９】
表３０は、２５６ＱＡＭを支援する４ビットのＣＱＩフィードバックテーブルの他の一例を示す。表３０は、既存のＣＱＩテーブルの最も低い３個のＣＱＩインデックスを除去した後、２５６ＱＡＭ  ＣＱＩインデックスを追加したＣＱＩテーブルの一例である。
【０３５０】
［表３０］
【表３１】
0006392369.tif 000132
【０３５１】
４．２．２  ２５６ＱＡＭ支援のための第２ＣＱＩフィードバックテーブル定義―２
【０３５２】
以下では、２５６ＱＡＭ変調方式を支援するために既存の４ビットのＣＱＩフィードバックテーブルのサイズを５ビット以上に増加させる方法に対して説明する。このような方式は、ＣＳＩに対するコーディング方式が変更される必要があるが、無線チャネル変化に対して精密なフィードバックが可能であるという長所を有する。
【０３５３】
本発明の実施例では、説明の便宜上、第２ＣＱＩフィードバックテーブルのサイズを５ビットに増加させる場合に対して説明する。もちろん、コードレートや無線チャネル環境によってより大きいサイズを有することができる。
【０３５４】
一般に、無線送信チャネルの変化は３０ｄＢ〜４０ｄＢに至るようになるので、５ビットでＣＱＩフィードバックテーブルを構成するとき、ＣＱＩインデックス間のＳＩＮＲ（Ｓｉｇｎａｌ  ｔｏ  Ｉｎｔｅｒｆｅｒｅｎｃｅ―ｐｌｕｓ―Ｎｏｉｓｅ  Ｒａｔｉｏ）差は約１ｄＢ内外に設定されることが好ましい。例えば、１ｄＢのステップサイズを仮定すれば、約３２ｄＢの動的範囲（ｄｙｎａｍｉｃ  ｒａｎｇｅ）を有するようになるので、無線送信チャネルの動的範囲をほとんどカバーすることができる。
【０３５５】
このとき、最も低いＣＱＩインデックス０は、サービス不可を示す範囲外（ｏｕｔ―ｏｆ―ｒａｎｇｅ）に設定されることが好ましく、ＳＩＮＲは、約−６ｄＢ〜−７ｄＢに該当するようになる。よって、５ビットのＣＱＩフィードバックテーブルが１ｄＢの解像度（ｒｅｓｏｌｕｔｉｏｎ）で３２ｄＢの動的範囲を有する無線チャネルを表現することができる。また、各変調方式が変わるスイッチングポイントの有効コーディングレートは０．６〜０．６５であると仮定する。以上の考慮事項を反映して構成した第２ＣＱＩテーブルは、次の表３１のように構成することができる。
【０３５６】
［表３１］
【表３２】
0006392369.tif 000133
【０３５７】
表３１は、第２ＣＱＩフィードバックテーブルの一例であって、２５６ＱＡＭを支援する５ビットのＣＱＩフィードバックテーブルである。他の方法において、表３１では、ＣＱＩインデックス２５〜３１を２５６ＱＡＭ変調方式で割り当てることができる。
【０３５８】
表３１を用いる場合、既存のＭＩＭＯ送信時に２番目のＣＷのために定義された差分ＣＱＩ  ３ビット、アンテナ構成によって変わるＰＭＩ／ＲＩビット数などに対して、既存のＬＴＥ／ＬＴＥ―Ａシステムで定義された方法を用いると仮定する。
【０３５９】
特に、ＰＭＩ／ＲＩフィードバックを要求しない送信モード（ＴＭ：Ｔｒａｎｓｍｉｓｓｉｏｎ  Ｍｏｄｅ）１、２、３、７とＰＭＩ／ＲＩフィードバックがないＴＭ８、９、１０の場合、既存のＣＳＩフィードバック方式を再使用することができる。これは、ＰＵＣＣＨ報告モード１―０、２―０に該当する。
【０３６０】
よって、送信モード（ＴＭ）４、５、６とＰＭＩ／ＲＩフィードバックを要求するＴＭ８、９、１０の場合、ＰＵＣＣＨ報告モード１―１のみが５ビットサイズの第２ＣＱＩフィードバックテーブルを使用するように設定することができる。このとき、ＰＵＣＣＨ報告タイプ２／２ａ／２ｂのうち特定アンテナ構成（ａｎｔｅｎｎａ  ｃｏｎｆｉｇｕｒａｔｉｏｎ）に対して１１ビット以上のＣＱＩフィードバックビット数が必要である場合、無線接続システムでは、拡張ＣＰのＡＣＫ／ＮＡＣＫと多重化されるＰＵＣＣＨフォーマット２ｂ又はＰＵＣＣＨフォーマット３を使用するように設定することができる。
【０３６１】
次の表３２は、２５６ＱＡＭを支援する５ビットのＣＱＩフィードバックテーブルの他の一例を示す。
【０３６２】
［表３２］
【表３３】
0006392369.tif 000134
【０３６３】
４．３  ２５６ＱＡＭ支援のためのＣＳＩ報告方法―１
【０３６４】
上述した４．２節では、２５６ＱＡＭ支援のために新たに定義したＣＱＩフィードバックテーブル（表２７〜表３２）に対して説明した。よって、ＣＱＩインデックスを含むＣＳＩフィードバックをＰＵＣＣＨ及び／又はＰＵＳＣＨを介して行う場合、基地局及び／又は端末は、新たに定義したＣＱＩフィードバックテーブルのみを用いてＣＳＩ報告を行うことができる。
【０３６５】
すなわち、端末は、ＭＩＭＯ送信の支援有無とは関係なく、４．２節で説明した４ビット又は５ビットのＣＱＩフィードバックテーブルを用いてＣＱＩインデックスを送信することができる。
【０３６６】
そこで、端末は、特定ＣＳＩ報告瞬間に１１ビット以上のＣＳＩペイロードを報告しないように設定することができる。この場合、ＣＳＩ送信はドロップされる。
【０３６７】
４．４  ２５６ＱＡＭ支援のためのＣＳＩ報告方法―２
【０３６８】
端末がＰＵＣＣＨを用いてＣＳＩを報告するとき、ＭＩＭＯ送信を支援しない送信モードの場合は、最大６ビットのＣＳＩまで送信することができ、ＭＩＭＯ送信を支援する送信モード（ＴＭ）の場合は、１１ビットまでのＣＳＩをＰＵＣＣＨを介して送信することができる。４．２節で説明したように、２５６ＱＡＭのＣＱＩフィードバックテーブルを表現するために４ビット又は５ビットのＣＱＩインデックスを使用する場合、ＭＩＭＯ送信を支援しないＴＭの場合、ＰＵＣＣＨを介してＣＳＩを送信することに問題がない。しかし、ＭＩＭＯ送信を支援するＴＭの場合、ＣＳＩ情報ビットのサイズが１１ビットを超えるので、ＣＳＩ報告の遂行に問題が発生する。
【０３６９】
この場合、無線接続システムでＭＩＭＯ送信を行わないＴＭの場合は、ＣＳＩ報告のために表２６の第１ＣＱＩフィードバックテーブルを用い、ＭＩＭＯ送信を支援するＴＭの場合は、表２７〜表３２の第２ＣＱＩフィードバックテーブルを用いるように設定することができる。
【０３７０】
４．５  ２５６ＱＡＭ支援のためのＣＳＩ報告方法―３
【０３７１】
以下では、ＬＴＥ／ＬＴＥ―Ａシステムで使用する第１ＣＱＩフィードバックテーブル（又は、レガシーテーブル）と２５６ＱＡＭを支援するために定義した第２ＣＱＩフィードバックテーブルを共に使用する場合に対して説明する。
【０３７２】
図１７は、本発明の実施例として、上りリンクチャネルを介してＣＳＩを報告する方法のうちの一つを示す図である。
【０３７３】
図１７において、端末（ＵＥ）及び基地局（ｅＮＢ）は、それぞれ第１ＣＱＩフィードバックテーブル及び第２ＣＱＩフィードバックテーブルを維持していると仮定する。このとき、第１ＣＱＩフィードバックテーブルは、表２５の通りであり、レガシー端末のためのＣＱＩフィードバックインデックスを定義する。また、第２ＣＱＩフィードバックテーブルは、表２６〜表２８の通りであり、２５６ＱＡＭを支援する端末のためのＣＱＩフィードバックインデックスを定義する。勿論、表２６〜表２８以外に、本発明の実施例で説明した２５６ＱＡＭを支援するように構成されたＣＱＩフィードバックテーブルを第２ＣＱＩフィードバックテーブルとして用いることができる。
【０３７４】
図１７を参照すれば、端末と基地局は、初期接続後、２５６ＱＡＭの支援有無を交渉するための端末性能交渉過程を基地局と行う（Ｓ１７１０）。
【０３７５】
Ｓ１７１０段階において、端末及び基地局は、互いに２５６ＱＡＭを支援することを確認し、２５６ＱＡＭを支援するための多様なパラメータ及び／又はフィールドを交換したと仮定する。
【０３７６】
その後、基地局は、２５６ＱＡＭで構成される下りリンクデータを送信する必要があれば、まず、端末に２５６ＱＡＭの使用を指示する２５６ＱＡＭ指示子又は第２ＣＱＩフィードバックテーブルを指示するテーブル識別子を含む物理層信号（ｅ．ｇ．，ＰＤＣＣＨ信号及び／又はＥＰＤＣＣＨ信号）又は上位層信号（例えば、ＭＡＣ信号又はＲＲＣ信号など）を端末に送信することができる（Ｓ１７２０）。
【０３７７】
Ｓ１７２０段階において、２５６ＱＡＭの使用を指示する２５６ＱＡＭ指示子又は第２ＣＱＩフィードバックテーブル識別子を受信した端末は、その後、基地局で送信される下りリンクデータが２５６ＱＡＭで変調できることを認識することができる。
【０３７８】
その後、基地局は、チャネル状態情報を取得するために上りリンクスケジューリング情報を含むＰＤＣＣＨ／ＥＰＤＣＣＨ信号を端末に送信する。このとき、ＰＤＣＣＨ／ＥＰＤＣＣＨ信号にはＣＳＩ要求フィールドが含まれ、周期的又は非周期的ＣＳＩ要求を指示することができる（Ｓ１７３０）。
【０３７９】
端末は、基地局と連結されたチャネルに対して、チャネル状態情報を取得するためにチャネル測定過程を行う（Ｓ１７４０）。
【０３８０】
Ｓ１７２０段階において、２５６ＱＡＭの使用を指示する２５６ＱＡＭ指示子を受信した端末は、Ｓ１７４０段階で測定したチャネル状態に対する情報に基づいて第２ＣＱＩフィードバックテーブルから適切なＣＱＩインデックスを選択する。その後、端末は、選択したＣＱＩインデックスを前記上りリンクスケジューリング情報で指示する上りリンクチャネルを介して基地局に送信することができる。このとき、上りリンクチャネルはＰＵＣＣＨ又はＰＵＳＣＨになり得る（Ｓ１７５０）。
【０３８１】
ＣＱＩインデックスが、２５６ＱＡＭ使用が可能であることを示すと、基地局は、２５６ＱＡＭ及び適切なコーディングレートを指示するＩMCSを含むＰＤＣＣＨ信号及び／又はＥＰＣＣＨ信号を端末に送信する。端末は、受信したＩMCSによって２５６ＱＡＭを支援する送信ブロックサイズ（ＴＢＳ：Ｔｒａｎｓｐｏｒｔ  Ｂｌｏｃｋ  Ｓｉｚｅ）を導出することができる（Ｓ１７６０）。
【０３８２】
基地局は、ＩMCSを介して端末に知らせた変調次数及びＴＢＳによって下りリンクデータ（例えば、ＤＬ―ＳＣＨ信号）を変調及び送信する。また、端末は、Ｓ１７６０段階で受信したIMCSに基づいて２５６ＱＡＭで変調された下りリンクデータを受信及び復調する（Ｓ１７７０）。
【０３８３】
図１７の他の実施例として、ＰＵＣＣＨを用いてＣＳＩ報告を行う場合、５ビットのＣＱＩインデックスを使用すると、特定報告瞬間にＰＵＣＣＨで送信できるＣＳＩ情報ビットのサイズを超えるという問題が発生し得る。この場合、端末は、該当ＣＱＩインデックスを非周期的ＣＳＩ報告を通じて（すなわち、ＰＵＳＣＨを介して）基地局に送信することができる。
【０３８４】
図１８は、本発明の実施例として、ＰＵＳＣＨを介してＣＳＩを報告する方法のうちの一つを示す図である。
【０３８５】
図１８において、端末（ＵＥ）及び基地局（ｅＮＢ）は、それぞれ第１ＣＱＩフィードバックテーブル（例えば、表２５）及び第２ＣＱＩフィードバックテーブル（例えば、表２６〜表２８）を維持していると仮定する。
【０３８６】
図１８を参照すれば、端末と基地局は、初期接続後、２５６ＱＡＭの支援有無を交渉するための端末性能交渉過程を基地局と行う（Ｓ１８１０）。
【０３８７】
Ｓ１８１０段階において、端末及び基地局は、互いに２５６ＱＡＭを支援することを確認し、２５６ＱＡＭを支援するための多様なパラメータ及び／又はフィールドを交換したと仮定する。
【０３８８】
その後、基地局は、２５６ＱＡＭで構成される下りリンクデータを送信する必要があれば、まず、端末に２５６ＱＡＭの使用を指示する２５６ＱＡＭ指示子又は第２ＣＱＩフィードバックテーブルを指示するテーブル識別子を含む物理層信号（ｅ．ｇ．，ＰＤＣＣＨ信号及び／又はＥＰＤＣＣＨ信号）又は上位層信号（例えば、ＭＡＣ信号又はＲＲＣ信号など）を端末に送信することができる（Ｓ１８２０）。
【０３８９】
Ｓ１８２０段階において、２５６ＱＡＭの使用を指示する２５６ＱＡＭ指示子又は第２ＣＱＩフィードバックテーブル識別子を受信した端末は、その後、基地局で送信される下りリンクデータが２５６ＱＡＭで変調できることを認識する。
【０３９０】
その後、基地局は、チャネル状態情報を要求するために上りリンクスケジューリング情報を含むＰＤＣＣＨ／ＥＰＤＣＣＨ信号を端末に送信する。このとき、ＰＤＣＣＨ／ＥＰＤＣＣＨ信号にはＣＳＩ要求フィールドが含まれ、周期的又は非周期的ＣＳＩ要求を指示することができる（Ｓ１８３０）。
【０３９１】
端末は、基地局と連結されたチャネルに対して、チャネル状態情報を取得するためにチャネル測定過程を行う（Ｓ１８４０）。
【０３９２】
Ｓ１８２０段階において、２５６ＱＡＭの使用を指示する２５６ＱＡＭ指示子を受信した端末は、Ｓ１８４０段階で測定したチャネル状態情報に基づいて第２ＣＱＩフィードバックテーブルから適切なＣＱＩインデックスを選択する。その後、端末は、選択したＣＱＩインデックスを非周期的に送信されるＰＵＳＣＨ信号を介して基地局に送信する。Ｓ１８２０段階で、２５６ＱＡＭ指示子が、２５６ＱＡＭが使用されないことを指示する場合、端末は、第１ＣＱＩフィードバックテーブルからＣＱＩインデックスを選択し、ＰＵＣＣＨを介して基地局にＣＳＩを周期的に報告することができる（Ｓ１８５０）。
【０３９３】
ＣＱＩインデックスが、２５６ＱＡＭの使用が可能であることを示すと、基地局は、２５６ＱＡＭ及び適切なコーディングレートを指示するＩMCSを含むＰＤＣＣＨ信号及び／又はＥＰＣＣＨ信号を端末に送信する。端末は、受信したＩMCSによって２５６ＱＡＭを支援する送信ブロックサイズ（ＴＢＳ：Ｔｒａｎｓｐｏｒｔ  Ｂｌｏｃｋ  Ｓｉｚｅ）を導出することができる（Ｓ１８６０）。
【０３９４】
基地局は、ＩMCSを通じて端末に知らせた変調次数及びＴＢＳによって下りリンクデータ（例えば、ＤＬ―ＳＣＨ信号）を変調及び送信する。また、端末は、Ｓ１８６０段階で受信したＩMCSに基づいて２５６ＱＡＭで変調された下りリンクデータを受信及び復調する（Ｓ１８７０）。
【０３９５】
図１９は、本発明の実施例として、ＰＵＳＣＨを介してＣＳＩを報告する方法のうちの他の一つを示す図である。
【０３９６】
図１９で説明する本発明の実施例は、基本的に図１８の実施例と類似している。よって、該当説明は図１８を参照する。以下では、図１８と異なる部分に対して説明する。
【０３９７】
２５６ＱＡＭを支援する端末は、２５６ＱＡＭの利用有無及び如何なるＣＱＩテーブルを利用するのかに対する情報を基地局に送信することができる。すなわち、端末は、Ｓ１９４０段階で測定したチャネル測定結果を用いて２５６ＱＡＭの使用有無を決定することができる（Ｓ１９５０）。
【０３９８】
例えば、チャネル状況が２５６ＱＡＭを使用すると良い場合は、２５６ＱＡＭを支援する第２ＣＱＩフィードバックテーブルを用いてＣＳＩ報告を行い、チャネル状況が２５６ＱＡＭを使用すると良くない場合は、第１ＣＱＩフィードバックテーブルを用いてＣＳＩ報告を行うことができる。このとき、端末は、自身が用いるＣＱＩフィードバックテーブルに対する識別子をＣＳＩ報告と共に基地局に送信する（Ｓ１９６０）。
【０３９９】
Ｓ１９６０段階において、端末が第１ＣＱＩフィードバックテーブルを用いる場合は、該当ＣＳＩ報告はＰＵＣＣＨ及び／又はＰＵＳＣＨを介して行うことができ、端末が第２ＣＱＩフィードバックテーブルを用いる場合は、該当ＣＳＩ報告はＰＵＳＣＨを介して行うことができる。
【０４００】
他の実施例として、端末がＰＵＣＣＨでＣＱＩフィードバックをする場合は、常に第１ＣＱＩフィードバックテーブルからＣＱＩインデックスを選択し、ＰＵＳＣＨでＣＱＩフィードバックをする場合は、常に第２ＣＱＩフィードバックテーブルからＣＱＩインデックスを選択するように設定することによって、如何なるフィードバックテーブルが使用されるのかを暗示的に基地局に知らせることができる。この場合、基地局は、ＰＵＣＣＨを介してＣＳＩ報告を受ける場合は、第１ＣＱＩフィードバックテーブルからＣＱＩインデックスを解釈し、ＰＵＳＣＨを介してＣＳＩ報告を受ける場合は、第２ＣＱＩフィードバックテーブルからＣＱＩインデックスを解釈することができる。よって、端末は、Ｓ１９６０段階のＣＱＩフィードバックテーブルに対する識別子は送信しなくてもよい。
【０４０１】
残りのＳ１９７０段階及びＳ１９８０段階に対する説明は、図１８のＳ１８６０〜Ｓ１８７０段階を参照する。
【０４０２】
４．６  ２５６ＱＡＭ支援のためのＣＳＩ報告方法―４
【０４０３】
図１７〜図１９のＳ１７４０段階、Ｓ１８４０段階及びＳ１９４０段階のチャネル測定がＣＳＩ―ＲＳ（Ｃｈａｎｎｅｌ  Ｓｔａｔｅ  Ｉｎｆｏｒｍａｔｉｏｎ―Ｒｅｆｅｒｅｎｃｅ  Ｓｉｇｎａｌ）及びＣＳＩ―ＩＭ（Ｃｈａｎｎｅｌ  Ｓｔａｔｅ  Ｉｎｆｏｒｍａｔｉｏｎ―Ｉｎｔｅｒｆｅｒｅｎｃｅ  Ｍｅａｓｕｒｅｍｅｎｔ）を用いて行われる場合、２５６ＱＡＭを支援する端末は、ＣＳＩプロセス別にＣＱＩフィードバックテーブルを選択するように構成することができる。
【０４０４】
又は、表２６〜表２８に説明した２５６ＱＡＭを支援するＣＱＩフィードバックテーブルをＣＳＩサブセット別に設定することができる。これは、ＣＳＩサブセット別に干渉環境の差が大きいことから、特定ＣＳＩサブセットには２５６ＱＡＭのような高いＳＩＮＲを要求する変調方式が支援されないこともあるためである。このとき、ＣＳＩサブセットは、端末に構成された一つ以上のＣＳＩサブフレーム集合を意味する。
【０４０５】
このとき、端末は、設定された一つ以上のＣＳＩプロセス又はＣＳＩサブセットに対してＣＳＩ報告を行い、同一のＣＳＩ  ＲＳリソースに対して第１ＣＱＩフィードバックテーブルと第２ＣＱＩフィードバックテーブルをＣＳＩプロセス又はＣＳＩサブセットに対してそれぞれ設定することができる。
【０４０６】
よって、端末の一つ以上のＣＳＩプロセスに対するＣＳＩ報告を受信した基地局は、ＣＳＩ報告によるＭＣＳ情報をＰＤＣＣＨ信号のＤＣＩに含ませて送信することができる。このとき、基地局は、一部のＣＳＩプロセスが２５６ＱＡＭを支援しない第１ＣＱＩフィードバックテーブルを使用したとしても、チャネル状況によって２５６ＱＡＭを指示するＭＣＳインデックス（ＩMCS）を端末に送信し、２５６ＱＡＭで変調された下りリンクデータを送信することができる。
【０４０７】
５．ＲＩ参照プロセスを設定する場合のＣＳＩ報告方法
【０４０８】
ネットワーク又は基地局は、送信モード（ＴＭ）１０で構成された端末に対してＲＩ参照プロセス（ＲＩ  ｒｅｆｅｒｅｎｃｅ  ｐｒｏｃｅｓｓ）を設定することができる。このとき、ＲＩ参照プロセスに連関したＣＳＩプロセスは、ＣＳＩ報告モード、ＣＳＩ―ＲＳアンテナポート数及び／又はサブフレーム測定集合に対して設定されたコードブックサブセット制限（ｃｏｄｅｂｏｏｋ  ｓｕｂｓｅｔ  ｒｅｓｔｒｉｃｔｉｏｎ）による制限されたＲＩ（ｒｅｓｔｒｉｃｔｅｄ  ＲＩ）が同一であると仮定する。
【０４０９】
この場合、端末は、ＲＩ参照プロセスに連関するＣＳＩプロセスが同一であるＣＱＩテーブルを用いると仮定することができる。すなわち、端末は、一つのＲＩ参照プロセスに連関したＣＳＩプロセスに対して全て２５６ＱＡＭを支援するＣＱＩテーブル（すなわち、第２ＣＱＩテーブル）を使用したり、２５６ＱＡＭを支援しないレガシーＣＱＩテーブル（すなわち、第１ＣＱＩテーブル）を使用することができる。
【０４１０】
特定ＲＩ参照プロセスに連関したＣＳＩプロセスが互いに異なるＣＱＩテーブルを使用する場合（例えば、特定ＲＩ参照プロセスに連関した第１ＣＳＩプロセスＸは、２５６ＱＡＭを支援する第２ＣＱＩテーブルを使用し、該当ＲＩ参照プロセスに連関した第２ＣＳＩプロセスＹは第１ＣＱＩテーブルを使用する場合）、連関したＣＳＩプロセスは、特定ＲＩ参照プロセスで使用される同一のＲＩ値を使用することから、ＣＱＩ推定時の不正確性が増加し得る。
【０４１１】
例えば、ＴＭ１０で、基地局は、周波数選択的（ｆｒｅｑｕｅｎｃｙ  ｓｅｌｅｃｔｉｖｅ）動的ポイントブランキング（ＤＰＢ：Ｄｙｎａｍｉｃ  Ｐｏｉｎｔ  Ｂｌａｎｋｉｎｇ）を具現すると仮定する。ＤＰＢは、ＣｏＭＰ集合内で一つの送信ポイント（ＴＰ：Ｔｒａｎｓｍｉｓｓｉｏｎ  Ｐｏｉｎｔ）で送信するＲＢに対して他のＴＰがデータを送信しないことによって干渉を減少させる送信方法である。ＤＰＢは、多数のＲＢのうち周波数領域のチャネル状況に応じて送信されるＴＰが変わることを周波数選択と表現したものである。
【０４１２】
このような周波数選択的ＤＰＢを具現するとき、特定ＰＲＢ対（ｐａｉｒ）に対してＣＳＩフィードバックをするとき、端末が各ＰＲＢに対して互いに異なるランクを仮定するＣＳＩプロセスでＣＳＩフィードバックを行うと、基地局は、該当ＰＲＢ対に対するＭＣＳを選択するときに補正の誤りが大きくなり得る。その理由は、現在のＬＴＥ／ＬＴＥ―Ａ規格で一つのＰＤＳＣＨは同一のランクを仮定しており、ＣＳＩの計算時、ＲＩ、ＣＱＩ／ＰＭＩなどが共に考慮されることから、ランクが異なる場合、該当ランクに対する情報を、基地局がＭＣＳを選択するときに反映して補正しなければならないためである。
【０４１３】
同様に、ＲＩ参照プロセス別に互いに異なるＣＱＩテーブルを使用するようになる場合、基地局でＭＣＳ選択のためにＣＳＩフィードバック値を補正しなければならないので、チャネル推定時の誤りが大きくなり得る。
【０４１４】
本発明の実施例において、一つの端末には一つ以上のＣＳＩプロセスを割り当てることができ、一つ以上のＣＳＩプロセスに対して一つ以上のＲＩ参照プロセスを割り当てることができる。このとき、一つのＲＩ参照プロセスには一つ以上のＣＳＩプロセスが連関し得る。また、各ＣＳＩプロセス別にＲＩ参照プロセスを指定することができ、一つの端末に設定されるＲＩ参照プロセスは２個以上であり得る。
【０４１５】
図２０は、ＲＩ参照プロセスが割り当てられる場合のＣＳＩ報告方法のうちの一つを示す図である。
【０４１６】
図２０で説明した図１７〜図２０のＳ１７１０〜Ｓ１７３０、Ｓ１８１０〜Ｓ１８３０又はＳ１９１０〜Ｓ１９３０段階は既に行われたと仮定する。すなわち、図２０で説明する方法は、周期的ＣＳＩ報告又は非周期的ＣＳＩ報告方式に対して適用することができる。
【０４１７】
図２０を参照すれば、基地局は、上位層信号を通じてＲＩ参照プロセスを端末に設定することができる。このとき、一つの端末にＲＩ参照プロセスを二つ以上構成することができ、各ＲＩ参照プロセスには一つ以上のＣＳＩプロセスが連関し得る（Ｓ２０１０）。
【０４１８】
端末は、基地局から下りリンクチャネル（例えば、ＰＤＳＣＨなど）を受信し、チャネル状態を測定することができる（Ｓ２０２０）。
【０４１９】
端末は、基地局にＣＳＩを周期的又は非周期的に報告するためにＲＩ参照プロセス別に同一のＣＱＩテーブルを用いてＣＱＩインデックスを選択することができる（Ｓ２０３０）。
【０４２０】
Ｓ２０３０段階において、端末に二つのＲＩ参照プロセスである第１ＲＩ参照プロセス及び第２ＲＩ参照プロセスが割り当てられる場合、端末は、ＲＩ参照プロセスに連関したＣＳＩプロセス別にＣＳＩを計算することができる。このとき、端末は、それぞれのＲＩ参照プロセス別に連関したＣＳＩプロセスには同一のＣＱＩテーブルを用いることができる。例えば、第１ＲＩ参照プロセスと連関したＣＳＩプロセスには全て同一の第１ＣＱＩテーブルを用いれることができ、第２ＲＩ参照プロセスと連関したＣＳＩプロセスに対しては全て同一の第２ＣＱＩテーブルを用いることができる。すなわち、一つのＲＩ参照プロセスに連関したＣＳＩプロセスに対して互いに同一のＣＱＩテーブルを適用することができ、互いに異なるＲＩ参照プロセスには互いに同一又は互いに異なるＣＱＩテーブルを適用することができる。
【０４２１】
端末は、Ｓ２０３０段階で測定したＣＳＩをＰＵＳＣＨ又はＰＵＣＣＨを介して基地局に報告することができる（Ｓ２０４０）。
【０４２２】
６．具現装置
【０４２３】
図２１で説明する装置は、図１乃至図２０で説明した方法を具現し得る手段である。
【０４２４】
端末（ＵＥ：Ｕｓｅｒ  Ｅｑｕｉｐｍｅｎｔ）は、上りリンクでは送信機として動作し、下りリンクでは受信機として動作することができる。また、基地局（ｅＮＢ：ｅ−Ｎｏｄｅ  Ｂ）は、上りリンクでは受信機として動作し、下りリンクでは送信機として動作することができる。
【０４２５】
すなわち、端末及び基地局は、情報、データ及び／又はメッセージの送信及び受信を制御するために、それぞれ、送信機（Ｔｒａｎｓｍｉｔｔｅｒ）２１４０、２１５０及び受信機（Ｒｅｃｅｉｖｅｒ）２１５０、２１７０を備えることができ、情報、データ及び／又はメッセージを送受信するためのアンテナ２１００，２１１０などを有することができる。
【０４２６】
また、端末及び基地局はそれぞれ、上述した本発明の実施例を実行するためのプロセッサ（Ｐｒｏｃｅｓｓｏｒ）２１２０、２１３０、及びプロセッサの処理過程を臨時的に又は持続的に記憶し得るメモリ２１８０、２１９０を備えることができる。
【０４２７】
上述した端末及び基地局装置の構成成分及び機能を用いて本願発明の実施例を行うことができる。例えば、基地局及び／又は端末のプロセッサは、上述した１節〜５節に開示した方法を組み合わせて、２５６ＱＡＭを支援しない第１ＣＱＩフィードバックテーブル及び／又は２５６ＱＡＭを支援するための第２ＣＱＩフィードバックテーブルを維持及び管理することができる。また、基地局は、２５６ＱＡＭの使用有無を端末に知らせた後、２５６ＱＡＭで変調された下りリンクデータを送信することができる。また、端末は、下りリンクデータの受信後、ＣＳＩの報告時に基地局に第２ＣＱＩフィードバックテーブルから選択したＣＱＩインデックスを基地局に送信することができる。
【０４２８】
また、端末のプロセッサは、ＲＩ参照プロセス別にＣＱＩフィードバックテーブルを同一に適用するように構成することができる。例えば、第１ＲＩ参照プロセスに連関したＣＳＩプロセスに対しては同一の第２ＣＱＩフィードバックテーブルを適用したり、第２ＲＩ参照プロセスに連関したＣＳＩプロセスに対しては同一の第１ＣＱＩフィードバックテーブルを適用することができる。詳細な方法は、１節〜５節の説明を参照することができる。また、端末のプロセッサは、図１６で説明した構成をさらに含むことができる。
【０４２９】
端末及び基地局に含まれた送信機及び受信機は、データ送信のためのパケット変復調機能、高速パケットチャネルコーディング機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／又はチャネル多重化機能を実行することができる。また、図２１の端末及び基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールをさらに備えることができる。
【０４３０】
一方、本発明では、端末として、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートパソコン、スマート（Ｓｍａｒｔ）フォン、又はマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０４３１】
ここで、スマートフォンは、移動通信端末機と個人携帯端末機の長所を組み合わせた端末機であって、移動通信端末機に、個人携帯端末機の機能である日程管理、ファックス送受信及びインターネット接続などのデータ通信機能を統合した端末機を意味できる。また、マルチモードマルチバンド端末機は、マルチモデムチップを内蔵し、携帯インターネットシステムでも、その他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（Ｗｉｄｅｂａｎｄ  ＣＤＭＡ）システムなど）でも作動できる端末機のことを指す。
【０４３２】
本発明の実施例は、様々な手段によって具現することができる。例えば、本発明の実施例は、ハードウェア、ファームウェア（ｆｉｒｍｗａｒｅ）、ソフトウェア又はそれらの結合などによって具現することができる。
【０４３３】
ハードウェアによる具現の場合、本発明の実施例に係る方法は、１つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰｓ（ｄｉｇｉｔａｌ  ｓｉｇｎａｌ  ｐｒｏｃｅｓｓｏｒ）、ＤＳＰＤｓ（ｄｉｇｉｔａｌ  ｓｉｇｎａｌ  ｐｒｏｃｅｓｓｉｎｇ  ｄｅｖｉｃｅ）、ＰＬＤｓ（ｐｒｏｇｒａｍｍａｂｌｅ  ｌｏｇｉｃ  ｄｅｖｉｃｅ）、ＦＰＧＡｓ（ｆｉｅｌｄ  ｐｒｏｇｒａｍｍａｂｌｅ  ｇａｔｅ  ａｒｒａｙ）、プロセッサ、コントローラ、マイクロコントローラ、マイクロプロセッサなどによって具現することができる。
【０４３４】
ファームウェアやソフトウェアによる具現の場合、本発明の実施例に係る方法は、以上で説明された機能又は動作を実行するモジュール、手順又は関数などの形態として具現することもできる。例えば、ソフトウェアコードは、メモリユニット２１８０、２１９０に記憶され、プロセッサ２１２０、２１３０によって駆動されてもよい。前記メモリユニットは、前記プロセッサの内部又は外部に設けられ、公知の種々の手段によってプロセッサとデータを交換することができる。
【０４３５】
本発明は、本発明の精神及び必須特徴から逸脱しない範囲で他の特定の形態として具体化されてもよい。したがって、上記の詳細な説明は、いずれの面においても制約的に解釈されてはならず、例示的なものとして考慮されなければならない。本発明の範囲は、添付した請求項の合理的解釈によって決定されなければならず、本発明の等価的範囲における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０４３６】
本発明の実施例は、様々な無線接続システムに適用可能である。様々な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／又はＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、上記の様々な無線接続システムだけでなく、これら様々な無線接続システムを応用したいずれの技術分野にも適用可能である。
【図１】
0006392369.tif 000135
【図２】
0006392369.tif 000136
【図３】
0006392369.tif 000137
【図４】
0006392369.tif 000138
【図５】
0006392369.tif 000139
【図６】
0006392369.tif 000140
【図７】
0006392369.tif 000141
【図８】
0006392369.tif 000142
【図９】
0006392369.tif 000143
【図１０】
0006392369.tif 000144
【図１１】
0006392369.tif 000145
【図１２】
0006392369.tif 000146
【図１３】
0006392369.tif 000147
【図１４】
0006392369.tif 000148
【図１５】
0006392369.tif 000149
【図１６】
0006392369.tif 000150
【図１７】
0006392369.tif 000151
【図１８】
0006392369.tif 000152
【図１９】
0006392369.tif 000153
【図２０】
0006392369.tif 000154
【図２１】
0006392369.tif 000155